(57)【特許請求の範囲】
【請求項１】
外部機器から、複数チャネルで、差動信号により、伝送路を介して映像信号を受信する信号受信部と、
上記伝送路を構成する所定のラインを用いて双方向通信を行う通信部と、
上記外部機器に、上記通信部に対するファイヤーウォールの解除を要求するファイヤーウォール解除コマンドを送信するコマンド送信部と
を備えることを特徴とする電子機器。
【請求項２】
上記所定のラインはＨＤＭＩケーブルを構成するリザーブラインおよびＨＰＤラインである
ことを特徴とする請求項１に記載の電子機器。
【請求項３】
上記外部機器に上記伝送路を介して接続されたことを検出する接続検出部を備え、
上記コマンド送信部は、
上記接続検出部により上記外部機器に接続されたことが検出されたとき、上記外部機器に、上記ファイヤーウォール解除コマンドを送信する
ことを特徴とする請求項１に記載の電子機器。
【請求項４】
上記コマンド送信部は、さらに、
電源オフ操作があったとき、上記外部機器に、上記通信部に対するファイヤーウォールの解除の終了を要求するファイヤーウォール解除終了コマンドを送信する
ことを特徴とする請求項３に記載の電子機器。
【請求項５】
上記コマンド送信部は、
上記通信部を用いてデータ伝送を行うとき、上記外部機器に、上記ファイヤーウォール解除コマンドを送信し、
上記データ伝送が終了するとき、上記外部機器に、上記通信部に対するファイヤーウォールの解除の終了を要求するファイヤーウォール解除終了コマンドを送信する
ことを特徴とする請求項１に記載の電子機器。
【請求項６】
外部機器から、複数チャネルで、差動信号により、伝送路を介して映像信号を受信する信号受信部と、
上記伝送路を構成する所定のラインを用いて双方向通信を行う通信部とを備える電子機器のファイヤーウォール解除方法であって、
上記外部機器に上記伝送路を介して接続されたとき、上記外部機器に、上記通信部に対するファイヤーウォールの解除を要求するファイヤーウォール解除コマンドを送信する
ことを特徴とする電子機器のファイヤーウォール解除方法。
【請求項７】
上記所定のラインはＨＤＭＩケーブルを構成するリザーブラインおよびＨＰＤラインである
ことを特徴とする請求項６に記載の電子機器のファイヤーウォール解除方法。
【請求項８】
外部機器から、複数チャネルで、差動信号により、伝送路を介して映像信号を受信する信号受信部と、
上記伝送路を構成する所定のラインを用いて双方向通信を行う通信部とを備える電子機器のファイヤーウォール解除方法であって、
上記通信部を用いてデータ伝送を行うとき、上記外部機器に、上記通信部に対するファイヤーウォールの解除を要求するファイヤーウォール解除コマンドを送信する
ことを特徴とする電子機器のファイヤーウォール解除方法。
【請求項９】
上記所定のラインはＨＤＭＩケーブルを構成するリザーブラインおよびＨＰＤラインである
ことを特徴とする請求項８に記載の電子機器のファイヤーウォール解除方法。
【請求項１０】
映像信号を、複数のチャネルで、差動信号により、伝送路を介して外部機器に送信する信号送信部と、
上記伝送路を構成する所定のラインを用いて双方向通信を行う通信部と、
ファイヤーウォールを設定するファイヤーウォール設定部と、
上記外部機器からコマンドを受信するコマンド受信部とを備え、
上記ファイヤーウォール設定部は、
上記コマンド受信部でファイヤーウォール解除コマンドが受信されるとき、上記外部機器に対するファイヤーウォールを解除し、上記コマンド受信部でファイヤーウォール解除終了コマンドが受信されるとき、上記外部機器に対するファイヤーウォールの解除を中止する
ことを特徴とする電子機器。
【請求項１１】
上記所定のラインはＨＤＭＩケーブルを構成するリザーブラインおよびＨＰＤラインである
ことを特徴とする請求項１０に記載の電子機器。
【請求項１２】
上記外部機器が上記伝送路を介して接続されているか否かを検出する接続検出部を備え、
上記ファイヤーウォール設定部は、上記外部機器に対するファイヤーウォールを解除している状態で、上記接続検出部により上記外部機器が接続されていないことが検出されるとき、上記外部機器に対するファイヤーウォールの解除を中止する
ことを特徴とする請求項１０に記載の電子機器。
【発明の詳細な説明】
【技術分野】
【０００１】
この発明は、電子機器および電子機器のファイヤーウォール解除方法に関する。
【０００２】
詳しくは、この発明は、外部機器からベースバンドの映像信号を受信するための伝送路の所定ラインを用いて双方向通信をする通信部を持つ電子機器にあって、通信部に対するファイヤーウォールの解除コマンドを外部機器に送信するコマンド送信部を備えることにより、外部機器のセキュリティを損なうことなく外部機器との接続性を確保し、ユーザの使い勝手の向上を図るようにした電子機器等に係るものである。
【０００３】
また、この発明は、外部機器にベースバンドの映像信号を送信するための伝送路の所定ラインを用いて双方向通信をする通信部を備える電子機器にあって、外部機器からファイヤーウォール解除コマンドを受信したとき当該外部機器に対するファイヤーウォールを解除し、外部機器からファイヤーウォール解除終了コマンドを受信したとき当該外部機器に対するファイヤーウォール解除を中止することにより、セキュリティを損なうことなく外部機器との接続性を確保し、ユーザの使い勝手の向上を図るようにした電子機器に係るものである。
【背景技術】
【０００４】
従来、例えば、パーソナルコンピュータにテレビ受信機等の電子機器を接続することが行われている。パーソナルコンピュータとテレビ受信機等との間でイーサ（Ether）接続により高速データの送受信を行う場合、一般にパーソナルコンピュータに設定されているセキュリティのためのファイヤーウォールの影響で、接続性が著しく悪くなり、高速のデータ転送をする場合支障をきたす場合が多かった。
【０００５】
また、接続性を優先し、パーソナルコンピュータのファイヤーウォールを全解除した場合、パーソナルコンピュータ側として著しくセキュリティーレベルが下がる危険性があった。
【０００６】
また、これらを解決するためには、高速データを送る際、適正で最小限のファイヤーウォールの解除を手動で行い、セキュリティを確保しつつ高速データの送受信を行い、その後解除を解くような、煩雑な手法を、ある程度知識と経験のある者が行う必要があった。しかし、この手法は、汎用性の欠くもので、一般のユーザにとって大変使いづらいものであった。
【０００７】
近年、例えば、パーソナルコンピュータ、ＤＶＤ(Digital Versatile Disc)レコーダ、セットトップボックス、その他のＡＶソース（Audio Visual source）から、テレビ受信機、プロジェクタ、その他のディスプレイに対して、デジタル映像信号、すなわち、非圧縮（ベースバンド）の映像信号と、その映像信号に付随するデジタル音声信号とを、高速に伝送する通信インタフェースとして、ＨＤＭＩ(High Definition Multimedia Interface)が普及しつつある。例えば、特許文献１には、ＨＤＭＩ規格の詳細についての記載がある。
【特許文献１】ＷＯ２００２／０７８３３６号公報
【発明の開示】
【発明が解決しようとする課題】
【０００８】
上述したように、例えば、パーソナルコンピュータにテレビ受信機等の電子機器を接続したＡＶシステムにおいて、パーソナルコンピュータとテレビ受信機等との間でイーサ（Ether）接続により高速データの送受信を行う場合、パーソナルコンピュータに設定されているファイヤーウォールの影響で、接続性が著しく悪く、高速のデータ転送をする場合支障をきたす場合が多かった。
【０００９】
この発明の目的は、セキュリティを損なうことなく、接続性を確保し、ユーザの使い勝手の向上を図ることにある。
【課題を解決するための手段】
【００１０】
この発明の概念は、
外部機器から、複数チャネルで、差動信号により、伝送路を介して映像信号を受信する信号受信部と、
上記伝送路を構成する所定のラインを用いて双方向通信を行う通信部と、
上記外部機器に、上記通信部に対するファイヤーウォールの解除を要求するファイヤーウォール解除コマンドを送信するコマンド送信部と
を備えることを特徴とする電子機器にある。
【００１１】
この発明においては、複数チャネルで、差動信号により、伝送路を介して映像信号を受信する信号受信部の他に、伝送路を構成する所定のラインを用いて双方向通信を行う通信部が備えられ、この通信部により外部機器との間でデータ伝送が行われる。例えば、所定のラインはＨＤＭＩケーブルを構成するリザーブラインおよびＨＰＤラインである。
【００１２】
外部機器に、通信部に対するファイヤーウォールの解除を要求するファイヤーウォール解除コマンドを送信するコマンド送信部が備えられている。例えば、ファイヤーウォール解除コマンドは、伝送路の制御データラインを用いて行われる。
【００１３】
この発明において、例えば、外部機器に伝送路を介して接続されたことを検出する接続検出部を備え、コマンド送信部は、接続検出部により外部機器に接続されたことが検出されたとき、外部機器に、ファイヤーウォール解除コマンドを送信する、ようにされてもよい。この場合、外部機器に伝送路を介して接続されるとき、外部機器においては、通信部に対するファイヤーウォールが解除されて接続性が確保されるため、通信部によりデータ伝送が可能となる。
【００１４】
また、この発明において、例えば、コマンド送信部は、さらに、電源オフ操作があったとき、外部機器に、通信部に対するファイヤーウォールの解除の終了を要求するファイヤーウォール解除終了コマンドを送信する、ようにされてもよい。この場合、外部機器において通信部に対するファイヤーウォールの解除が中止され、セキュリティが確保される。
【００１５】
また、この発明において、コマンド送信部は、通信部を用いてデータ伝送を行うとき、外部機器に、ファイヤーウォール解除コマンドを送信し、データ伝送が終了するとき、外部機器に、通信部に対するファイヤーウォールの解除の終了を要求するファイヤーウォール解除終了コマンドを送信する、ようにされてもよい。この場合、通信部でデータ伝送を行う場合に、外部機器における通信部に対するファイヤーウォールが解除されて接続性が確保されるため、外部機器との間のデータ伝送が可能となる。
【００１６】
また、この発明の概念は、
映像信号を、複数のチャネルで、差動信号により、伝送路を介して外部機器に送信する信号送信部と、
上記伝送路を構成する所定のラインを用いて双方向通信を行う通信部と、
ファイヤーウォールを設定するファイヤーウォール設定部と、
上記外部機器からコマンドを受信するコマンド受信部とを備え、
上記ファイヤーウォール設定部は、
上記コマンド受信部でファイヤーウォール解除コマンドを受信するとき、上記外部機器に対するファイヤーウォールを解除し、上記コマンド受信部でファイヤーウォール解除終了コマンドが受信されるとき、上記外部機器に対するファイヤーウォールの解除を中止する
ことを特徴とする電子機器にある。
【００１７】
この発明においては、映像信号を、複数のチャネルで、差動信号により、伝送路を介して外部機器に送信する信号送信部の他に、伝送路を構成する所定のラインを用いて双方向通信を行う通信部が備えられている。例えば、所定のラインはＨＤＭＩケーブルを構成するリザーブラインおよびＨＰＤラインである。
【００１８】
この通信部により、外部機器との間でデータ伝送が可能となっている。ファイヤーウォール解除コマンドが受信されるとき、外部機器に対するファイヤーウォールが解除され、また、ファイヤーウォール解除終了コマンドが受信されるとき、外部機器に対するファイヤーウォール解除が中止される。
【００１９】
この場合、ファイヤーウォール解除コマンドが受信されてからファイヤーウォール解除終了コマンドが受信されるまで、外部機器に対するファイヤーウォールが解除されて接続性が確保されるため、通信部により外部機器との間のデータ伝送が可能となる。
【００２０】
この発明において、例えば、外部機器が伝送路を介して接続されているか否かを検出する接続検出部を備え、ファイヤーウォール設定部は、外部機器に対するファイヤーウォールを解除している状態で、接続検出部により外部機器が接続されていないことが検出されるとき、外部機器に対するファイヤーウォールの解除を中止する、ようにされてもよい。この場合、外部機器に対するファイヤーウォールが解除されている状態で、その終了操作が行われることなく、外部機器との接続が外された場合に、外部機器に対するファイヤーウォール解除の中止が自動的に行われる。
【発明の効果】
【００２１】
この発明によれば、外部機器からベースバンドの映像信号を受信するための伝送路の所定ラインを用いて双方向通信をする通信部を持つ電子機器にあって、通信部に対するファイヤーウォールの解除コマンドを外部機器に送信するコマンド送信部を備えるものであり、外部機器のセキュリティを損なうことなく外部機器との接続性を確保し、ユーザの使い勝手の向上を図るよことができる。
【００２２】
また、この発明によれば、外部機器にベースバンドの映像信号を送信するための伝送路の所定ラインを用いて双方向通信をする通信部を備える電子機器にあって、外部機器からファイヤーウォール解除コマンドを受信したとき当該外部機器に対するファイヤーウォールを解除し、外部機器からファイヤーウォール解除終了コマンドを受信したとき当該外部機器に対するファイヤーウォール解除を中止するものであり、セキュリティを損なうことなく外部機器との接続性を確保し、ユーザの使い勝手の向上を図ることができる。
【発明を実施するための最良の形態】
【００２３】
以下、図面を参照しながら、この発明の実施の形態について説明する。図１は、実施の形態としてのＡＶ(Audio Visual)システム５の構成例を示している。
【００２４】
このＡＶシステム５は、ソース機器としてのパーソナルコンピュータ（ＰＣ）１０と、シンク機器としてのテレビ受信機（ＴＶ）３０とを有している。また、パーソナルコンピュータ１０およびテレビ受信機３０は、ＨＤＭＩケーブル１を介して接続されている。
【００２５】
パーソナルコンピュータ１０には、ＨＤＭＩ送信部（ＨＤＭＩＴＸ）１２および高速データラインインタフェース１２Ａが接続されたＨＤＭＩ端子１１が設けられている。テレビ受信機３０には、ＨＤＭＩ受信部（ＨＤＭＩ ＲＸ）３２および高速データラインインタフェース３２Ａが接続されたＨＤＭＩ端子３１が設けられている。ＨＤＭＩケーブル１の一端はパーソナルコンピュータ１０のＨＤＭＩ端子１１に接続され、このＨＤＭＩケーブル１の他端はテレビ受信機３０のＨＤＭＩ端子３１に接続されている。
【００２６】
この図１に示すＡＶシステム５においては、パーソナルコンピュータ１０は、テレビ受信機３０に、ＨＤＭＩのＴＭＤＳ(Transition Minimized Differential Signaling)チャネルを用いて、ベースバンドの映像信号を送信できる。この場合、ベースバンドの映像信号は、パーソナルコンピュータ１０のＨＤＭＩ送信部１２から、ＨＤＭＩケーブル１を介して、テレビ受信機３０のＨＤＭＩ受信部３２に供給される。
【００２７】
また、図１に示すＡＶシステム５においては、パーソナルコンピュータ１０とテレビ受信機３０との間で、高速データラインを用いて、イーサ（Ether）のＩＰパケットで、データの送受信を行うことができる。この場合、パーソナルコンピュータ１０の高速データラインインタフェース１２Ａと、テレビ受信機３０の高速データラインインタフェース３２Ａとの間で、ＨＤＭＩケーブル１を介して、データが送受信される。
【００２８】
なお、パーソナルコンピュータ１０においてはファイヤーウォールの設定がなされているが、上述したようにＨＤＭＩケーブル３０を用いて接続されるテレビ受信機３０に関しては、必要に応じてファイヤーウォールが解除され、高速データラインを用いたデータ伝送を可能とされている。このファイヤーウォールの解除シーケンスの詳細については、後述する。
【００２９】
図２は、パーソナルコンピュータ１０の構成例を示している。
【００３０】
このパーソナルコンピュータ１０は、ＨＤＭＩ端子１１と、ＨＤＭＩ送信部１２と、高速データラインインタフェース１２Ａと、ＣＰＵ（Central Processing Unit）１３と、ＲＯＭ（Read OnlyMemory）１４と、ＲＡＭ（Random Access Memory）１５と、バス１６と、入出力インタフェース１７と、入力部１８と、出力部１９と、記憶部２０と、ドライブ２１と、イーサネットインタフェース（Ethernet I/F）２２と、ネットワーク端子２３とを有している。なお、「イーサネット」および「Ｅｔｈｅｒｎｅｔ」は登録商標である。
【００３１】
このパーソナルコンピュータ１０において、ＣＰＵ１３、ＲＯＭ１４、ＲＡＭ１５は、バス１６により相互に接続されている。バス１６には、さらに、入出力インタフェース１７が接続されている。入出力インタフェース１７には、入力部１８、出力部１９、記憶部２０、ドライブ２１およびＨＤＭＩ送信部（ＨＤＭＩ  ＴＸ）１２が接続されている。
【００３２】
入力部１８は、キーボード、マウス、マイクロホン等により構成されている。出力部１９は、ディスプレイ、スピーカ等により構成されている。記憶部２０は、ＨＤＤ(Hard Disk Drive)、不揮発性メモリ等により構成されている。ドライブ２１は、磁気ディスク、光ディスク、光磁気ディスク、あるいはメモリカード等のリムーバブルメディアを駆動する。
【００３３】
また、バス１６には、イーサネットインタフェース２２が接続されている。このイーサネットインタフェース２２には、ネットワーク端子２３と、高速データラインインタフェース１２Ａが接続されている。高速データラインインタフェース１２Ａは、ＨＤＭＩケーブル１を構成する所定のライン（この実施の形態においては、リザーブライン、ＨＰＤライン）を用いた双方向通信のインタフェースである。この高速データラインインタフェース１２Ａの詳細は後述する。
【００３４】
図２に示すように構成されたパーソナルコンピュータ１０では、ＣＰＵ１３が、例えば、記憶部２０に記憶されているプログラムを、入出力インタフェース１７およびバス１６を介して、ＲＡＭ１５にロードして実行することにより、後述する一連の処理が行われる。
【００３５】
図３は、テレビ受信機３０の構成例を示している。このテレビ受信機３０は、ＨＤＭＩ端子３１と、ＨＤＭＩ受信部３２と、高速データラインインタフェース３２Ａと、アンテナ端子３７と、デジタルチューナ３８と、デマルチプレクサ３９と、ＭＰＥＧ(Moving Picture Expert Group)デコーダ４０と、映像・グラフィック処理回路４１と、パネル駆動回路４２と、表示パネル４３と、音声信号処理回路４４と、音声増幅回路４５と、スピーカ４６と、ＤＴＣＰ(Digital Transmission Content Protection)回路４７と、内部バス５０と、ＣＰＵ５１と、フラッシュＲＯＭ５２と、ＤＲＡＭ５３と、イーサネットインタフェース（Ethernet I/F）５４と、ネットワーク端子５５と、リモコン受信部５６と、リモコン送信機５７とを有している。
【００３６】
アンテナ端子３７は、受信アンテナ（図示しない）で受信されたテレビ放送信号を入力する端子である。デジタルチューナ３８は、アンテナ端子３７に入力されるテレビ放送信号を処理して、ユーザの選択チャネルに対応した所定のトランスポートストリームを出力する。デマルチプレクサ３９は、デジタルチューナ３８で得られたトランスポートストリームから、ユーザの選択チャネルに対応した、パーシャルＴＳ（Transport Stream）（映像データのＴＳパケット、音声データのＴＳパケット）を抽出する。
【００３７】
また、デマルチプレクサ３９は、デジタルチューナ３８で得られたトランスポートストリームから、ＰＳＩ／ＳＩ(Program Specific Information/Service Information)を取り出し、ＣＰＵ５１に出力する。デジタルチューナ３８で得られたトランスポートストリームには、複数のチャネルが多重化されている。デマルチプレクサ３９で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００３８】
ＭＰＥＧデコーダ４０は、デマルチプレクサ３９で得られる映像データのＴＳパケットにより構成される映像ＰＥＳ(Packetized Elementary Stream)パケットに対してデコード処理を行って映像データを得る。また、ＭＰＥＧデコーダ４０は、デマルチプレクサ３９で得られる音声データのＴＳパケットにより構成される音声ＰＥＳパケットに対してデコード処理を行って音声データを得る。なお、このＭＰＥＧデコーダ４０は、必要に応じて、ＤＴＣＰ回路４７で復号化されて得られた映像および音声のＰＥＳパケットに対してデコード処理を行って映像データおよび音声データを得る。
【００３９】
映像・グラフィック処理回路４１は、ＭＰＥＧデコーダ４０で得られた映像データに対して、必要に応じてマルチ画面処理、グラフィックスデータの重畳処理等を行う。パネル駆動回路４２は、映像・グラフィック処理回路４１から出力される映像データに基づいて、表示パネル４３を駆動する。表示パネル４３は、例えば、ＬＣＤ(Liquid Crystal Display)、ＰＤＰ(Plasma DisplayPanel)等で構成されている。音声信号処理回路４４はＭＰＥＧデコーダ４０で得られた音声データに対してＤ／Ａ変換等の必要な処理を行う。音声増幅回路４５は、音声信号処理回路４４から出力される音声信号を増幅してスピーカ４６に供給する。
【００４０】
ＤＴＣＰ回路４７は、デマルチプレクサ３９で抽出されたパーシャルＴＳを、必要に応じて暗号化する。また、ＤＴＣＰ回路４７は、ネットワーク端子５５あるいは高速データラインインタフェース３２Ａからイーサネットインタフェース５４に供給される暗号化データを復号する。
【００４１】
ＣＰＵ５１は、テレビ受信機３０の各部の動作を制御する。フラッシュＲＯＭ５２は、制御ソフトウェアの格納およびデータの保管を行う。ＤＲＡＭ５３は、ＣＰＵ５１のワークエリアを構成する。ＣＰＵ５１は、フラッシュＲＯＭ５２から読み出したソフトウェアやデータをＤＲＡＭ５３上に展開してソフトウェアを起動させ、テレビ受信機３０の各部を制御する。リモコン受信部５６は、リモコン送信機５７から送信されたリモーコントロール信号（リモコンコード）を受信し、ＣＰＵ５１に供給する。ＣＰＵ５１、フラッシュＲＯＭ５２、ＤＲＡＭ５３およびイーサネットインタフェース５４は、内部バス５０に接続されている。
【００４２】
ＨＤＭＩ受信部（ＨＤＭＩシンク）３２は、ＨＤＭＩに準拠した通信により、ＨＤＭＩ端子３１に供給されるベースバンドの映像（画像）と音声のデータを受信する。このＨＤＭＩ受信部３２の詳細は後述する。高速データラインインタフェース３２Ａは、ＨＤＭＩケーブルを構成する所定のライン（この実施の形態においては、リザーブライン、ＨＰＤライン）を用いた双方向通信のインタフェースである。この高速データラインインタフェース３２Ａの詳細は後述する。
【００４３】
図３に示すテレビ受信機３０の動作を簡単に説明する。
【００４４】
アンテナ端子３７に入力されるテレビ放送信号はデジタルチューナ３８に供給される。このデジタルチューナ３８では、テレビ放送信号を処理して、ユーザの選択チャネルに対応した所定のトランスポートストリームが出力され、当該所定のトランスポートストリームはデマルチプレクサ３９に供給される。このデマルチプレクサ３９では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ４０に供給される。
【００４５】
ＭＰＥＧデコーダ４０では、映像データのＴＳパケットにより構成される映像ＰＥＳパケットに対してデコード処理が行われて映像データが得られる。この映像データは、映像・グラフィック処理回路４１において、必要に応じてマルチ画面処理、グラフィックスデータの重畳処理等が行われた後に、パネル駆動回路４２に供給される。そのため、表示パネル４３には、ユーザの選択チャネルに対応した画像が表示される。
【００４６】
また、ＭＰＥＧデコーダ４０では、音声データのＴＳパケットにより構成される音声ＰＥＳパケットに対してデコード処理が行われて音声データが得られる。この音声データは、音声信号処理回路４４でＤ／Ａ変換等の必要な処理が行われ、さらに、音声増幅回路４５で増幅された後に、スピーカ４６に供給される。そのため、スピーカ４６から、ユーザの選択チャネルに対応した音声が出力される。
【００４７】
テレビ放送信号の受信時において、デマルチプレクサ３９で抽出されたパーシャルＴＳをネットワーク、あるいは、後述するＨＤＭＩケーブルの所定ラインで構成される高速データラインに送出する際には、当該パーシャルＴＳはＤＴＣＰ回路４７で暗号化された後、イーサネットインタフェース５４を介して、ネットワーク端子５５あるいは高速データラインインタフェース３２Ａに供給される。
【００４８】
リモコン受信部５６ではリモコン送信機５７から送信されたリモコンコード（リモーコントロール信号）が受信され、当該リモコンコードはＣＰＵ５１に供給される。ＣＰＵ５１は、このリモコンコードに基づいて、テレビ受信機３０の各部を制御する。
【００４９】
なお、ネットワーク端子５５からイーサネットインタフェース５４に供給される、あるいは、ＨＤＭＩ端子３１から高速データラインインタフェース３２Ａを介してイーサネットインタフェース５４に供給される、暗号化されているパーシャルＴＳは、ＤＴＣＰ回路４７で復号化された後に、ＭＰＥＧデコーダ４０に供給される。以降は、上述したテレビ放送信号の受信時と同様の動作となり、表示パネル４３に画像が表示され、スピーカ４６から音声が出力される。
【００５０】
また、ＨＤＭＩ受信部３２では、ＨＤＭＩケーブルを通じてＨＤＭＩ端子３１に入力される映像（画像）データおよび音声データが取得される。この映像データおよび音声データは、それぞれ、映像・グラフィック処理回路４１および音声信号処理回路４４に供給される。以降は、上述したテレビ放送信号の受信時と同様の動作となり、表示パネル４３に画像が表示され、スピーカ４６から音声が出力される。
【００５１】
図４は、図１のＡＶシステム５における、パーソナルコンピュータ１０のＨＤＭＩ送信部（ＨＤＭＩソース）１２と、テレビ受信機３０のＨＤＭＩ受信部（ＨＤＭＩシンク）３２の構成例を示している。
【００５２】
ＨＤＭＩソース１２は、一の垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩシンク３２に一方向に送信するとともに、水平帰線区間または垂直帰線区間において、少なくとも画像に付随する音声データや制御データ、その他の補助データ等に対応する差動信号を、複数のチャネルで、ＨＤＭＩシンク３２に一方向に送信する。
【００５３】
すなわち、ＨＤＭＩソース１２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル１を介して接続されているＨＤＭＩシンク３２に、一方向にシリアル伝送する。
【００５４】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル１を介して接続されているＨＤＭＩシンク３２に、一方向にシリアル伝送する。
【００５５】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル１を介して接続されているＨＤＭＩシンク３２に送信する。ここで、１つのＴＭＤＳチャネル＃ｉ（ｉ=０，１，２）では、ピクセルクロックの１クロックの間に、１０ビットの画素データが送信される。
【００５６】
ＨＤＭＩシンク３２は、アクティブビデオ区間において、複数のチャネルで、ＨＤＭＩソース１２から一方向に送信されてくる、画素データに対応する差動信号を受信するとともに、水平帰線区間または垂直帰線区間において、複数のチャネルで、ＨＤＭＩソース１２から一方向に送信されてくる、音声データや制御データに対応する差動信号を受信する。
【００５７】
すなわち、ＨＤＭＩシンク３２は、レシーバ８２を有する。レシーバ８２は、ＴＭＤＳチャネル＃０，＃１，＃２で、ＨＤＭＩケーブル１を介して接続されているＨＤＭＩソース１２から一方向に送信されてくる、画素データに対応する差動信号と、音声データや制御データに対応する差動信号を、同じくＨＤＭＩソース１２からＴＭＤＳクロックチャネルで送信されてくるピクセルクロックに同期して受信する。
【００５８】
ＨＤＭＩソース１２とＨＤＭＩシンク３２とからなるＨＤＭＩシステムの伝送チャネルには、ＨＤＭＩソース１２からＨＤＭＩシンク３２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルとの他に、ＤＤＣ（Display Data Channel）８３やＣＥＣライン８４と呼ばれる伝送チャネルがある。
【００５９】
ＤＤＣ８３は、ＨＤＭＩケーブル１に含まれる図示せぬ２本の信号線からなり、ＨＤＭＩソース１２が、ＨＤＭＩケーブル１を介して接続されたＨＤＭＩシンク３２から、Ｅ−ＥＤＩＤ（Enhanced Extended Display Identification Data）を読み出すために使用される。
【００６０】
すなわち、ＨＤＭＩシンク３２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩソース１２は、ＨＤＭＩケーブル１を介して接続されているＨＤＭＩシンク３２から、当該ＨＤＭＩシンク３２のＥ−ＥＤＩＤを、ＤＤＣ８３を介して読み出し、そのＥ−ＥＤＩＤに基づき、ＨＤＭＩシンク３２の性能の設定、すなわち、例えば、ＨＤＭＩシンク３２を有する電子機器が対応している画像のフォーマット（プロファイル）、例えば、ＲＧＢ、ＹＣbＣr４：４：４、ＹＣbＣr４：２：２等を認識する。
【００６１】
ＣＥＣライン８４は、ＨＤＭＩケーブル１に含まれる図示せぬ１本の信号線からなり、ＨＤＭＩソース１２とＨＤＭＩシンク３２との間で、制御用データの双方向通信を行うために用いられる。このＣＥＣライン８４は、制御データラインを構成している。
【００６２】
また、ＨＤＭＩケーブル１には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル１には、ソース機器からシンク機器に電源を供給するために用いられるライン８７が含まれている。さらに、ＨＤＭＩケーブル１には、リザーブライン８８が含まれている。
【００６３】
ここで、図５は、ソース機器としてのパーソナルコンピュータ１０と、シンク機器としてのテレビ受信機３０における、電源端子（+5V power  端子）と、ＨＰＤ(Hot Plug Detect)端子の周辺回路を簡略的に示している。
【００６４】
パーソナルコンピュータ１０は、＋５Ｖの電源を発生して上述の電源端子（+5V power端子）に供給する電源部２０１と、ＨＰＤ端子に接続されたＨＰＤ回路２０２を備えている。なお、パーソナルコンピュータ１０のＨＰＤ端子は、例えば４７ｋΩのプルダウン抵抗２０３を介して接地されている。
【００６５】
一方、テレビ受信機３０は、ＨＰＤ端子に接続されたＨＰＤ回路２０４を備えている。なお、このテレビ受信機３０において、ＥＤＩＤ  ＲＯＭ８５には、電源端子（+5V power端子）から読み出し用電源が供給されている。そして、このテレビ受信機３０では、電源端子（+5V power端子）とＨＰＤ端子との間に、規格で規定されている１ｋΩの抵抗２０５が接続されている。
【００６６】
このような構成において、パーソナルコンピュータ１０とテレビ受信機３０がＨＤＭＩケーブル１で接続された場合、テレビ受信機１０の電源端子（+5V power端子）に供給されている電源部２０１からの＋５Ｖの電源により、テレビ受信機３０のＨＰＤ端子の電位が高くなる。そのため、テレビ受信機３０のＨＰＤ回路２０４は、ＴＶ受信機３０にＨＤＭＩケーブル１を介してパーソナルコンピュータ１０が接続されたことを検出できる。また、このとき、パーソナルコンピュータ１０のＨＰＤ端子の電位も高くなる。そのため、パーソナルコンピュータ１０のＨＰＤ回路２０２は、パーソナルコンピュータ１０にＨＤＭＩケーブル１を介してテレビ受信機３０が接続されたことを検出できる。
【００６７】
また、この状態で、例えば、ＨＤＭＩケーブル１がテレビ受信機３０から外された場合、テレビ受信機３０のＨＰＤ端子およびパーソナルコンピュータ１０のＨＰＤ端子の電位は共に低くなり、テレビ受信機３０のＨＰＤ回路２０４およびパーソナルコンピュータ１０のＨＰＤ回路２０２は、接続が外されたことを検出できる。
【００６８】
図６は、図４のＨＤＭＩトランスミッタ８１とＨＤＭＩレシーバ８２の構成例を示している。
【００６９】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００７０】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００７１】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００７２】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００７３】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００７４】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００７５】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００７６】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００７７】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００７８】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００７９】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００８０】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００８１】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００８２】
図７は、ＨＤＭＩの３つのＴＭＤＳチャネル＃０，＃１，＃２で各種の伝送データが伝送される伝送区間（期間）の例を示している。なお、図７は、ＴＭＤＳチャネル＃０，＃１，＃２において、横×縦が７２０×４８０画素のプログレッシブの画像が伝送される場合の、各種の伝送データの区間を示している。
【００８３】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００８４】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００８５】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００８６】
データアイランド区間およびコントロール区間は、水平ブランキング期間および垂直ブランキング期間に割り当てられる。このデータアイランド区間およびコントロール区間では、補助データ（Auxiliary data）が伝送される。
【００８７】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００８８】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８９】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００９０】
図８は、ＨＤＭＩ端子１１，３１のピン配列を示している。このピン配列はタイプＡ（type-A）と呼ばれている。
【００９１】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００９２】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００９３】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【００９４】
図９は、図１のＡＶシステム５における、パーソナルコンピュータ１０の高速データラインインタフェース１２Ａと、テレビ受信機３０の高速データラインインタフェース３２Ａの構成例を示している。これらインタフェース１２Ａ，３２Ａは、ＬＡＮ(Local Area Network)通信を行う通信部を構成する。この通信部は、ＨＤＭＩケーブル１を構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）を用いて、通信を行う。
【００９５】
パーソナルコンピュータ１０は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース１２Ａは、ＬＡＮ信号送信回路４１１、終端抵抗４１２、ＡＣ結合容量４１３，４１４、ＬＡＮ信号受信回路４１５、減算回路４１６により構成されている。
【００９６】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【００９７】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【００９８】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414はＣＰＵ１３に供給される。
【００９９】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ＣＰＵ１３に供給される。
【０１００】
テレビ受信機３０は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース３２Ａは、ＬＡＮ信号送信回路４４１、終端抵抗４４２、ＡＣ結合容量４４３，４４４、ＬＡＮ信号受信回路４４５、減算回路４４６により構成されている。
【０１０１】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１０２】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１０３】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１０４】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、ＣＰＵ５１に供給される。
【０１０５】
ＨＤＭＩケーブル１に含まれるリザーブライン５０１およびＨＰＤライン５０２は、差動ツイストペアを構成している。リザーブライン５０１のソース側端５１１はＨＤＭＩ端子１１の１４ピンに接続され、当該リザーブライン５０１のシンク側端５２１はＨＤＭＩ端子３１の１４ピンに接続される。また、ＨＰＤライン５０２のソース側端５１２はＨＤＭＩ端子１１の１９ピンに接続され、当該ＨＰＤライン５０２のシンク側端５２２はＨＤＭＩ端子３１の１９ピンに接続される。
【０１０６】
パーソナルコンピュータ１０において、上述したプルアップ抵抗４２１とＡＣ結合容量４１３の互いの接続点Ｑ１はＨＤＭＩ端子１１の１４ピンに接続され、また、上述したプルダウン抵抗４３１とＡＣ結合容量４１４の互いの接続点Ｑ２はＨＤＭＩ端子１１の１９ピンに接続される。一方、テレビ受信機３０において、上述したプルダウン抵抗４５１とＡＣ結合容量４４３の互いの接続点Ｑ３はＨＤＭＩ端子３１の１４ピンに接続され、また、上述したチョークコイル４６１とＡＣ結合容量４４４の互いの接続点Ｑ４はＨＤＭＩ端子３１の１９ピンに接続される。
【０１０７】
次に、上述したように構成された高速データラインインタフェース１２Ａ，３２ＡによるＬＡＮ通信の動作を説明する。
【０１０８】
パーソナルコンピュータ１０において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブル１の１対のライン（リザーブライン５０１、ＨＰＤライン５０２）を通じて、テレビ受信機３０に送信される。
【０１０９】
また、テレビ受信機３０において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブル１の１対のライン（リザーブライン５０１、ＨＰＤライン５０２）を通じて、パーソナルコンピュータ１０に送信される。
【０１１０】
また、パーソナルコンピュータ１０において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにテレビ受信機３０から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、テレビ受信機３０の送信信号（送信データ）ＳＧ417に対応したものとなる。
【０１１１】
また、テレビ受信機３０において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにパーソナルコンピュータ１０から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、パーソナルコンピュータ１０の送信信号（送信データ）ＳＧ411に対応したものとなる。
【０１１２】
このように、パーソナルコンピュータ１０の高速データラインインタフェース１２Ａと、テレビ受信機３０の高速データラインインタフェース３２Ａとの間では、双方向のＬＡＮ通信を行うことができる。
【０１１３】
図９に示す構成例によれば、１本のＨＤＭＩケーブル１で映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、その分割によりＤＤＣに関して規定された電気的仕様と無関係にＬＡＮ通信のための回路を形成することができ、安定で確実なＬＡＮ通信が安価に実現できる。
【０１１４】
なお、図９において、ＨＰＤライン５０２は、上述のＬＡＮ通信の他に、ＤＣバイアスレベルで、ＨＤＭＩケーブル１がテレビ受信機３０に接続されたことをパーソナルコンピュータ１０に伝達する。すなわち、テレビ受信機３０内の抵抗４６２，４６３とチョークコイル４６１は、ＨＤＭＩケーブル１がテレビ受信機３０に接続されるとき、ＨＰＤライン５０２を、ＨＤＭＩ端子３１の１９ピンを介して、約４Ｖにバイアスする。パーソナルコンピュータ１０は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１１５】
ＨＤＭＩ端子１１の１９ピンの電圧は、ＨＤＭＩケーブル１がテレビ受信機３０に接続されていなければ、プルダウン抵抗４３１が存在するために基準電圧Ｖref2より低く、逆に、ＨＤＭＩケーブル１がテレビ受信機３０に接続されていれば基準電圧Ｖref2より高い。したがって、比較器４３４の出力信号ＳＧ415は、ＨＤＭＩケーブル１がテレビ受信機３０に接続されているときは高レベルとなり、そうでないときは低レベルとなる。これにより、パーソナルコンピュータ１０のＣＰＵ１３は、比較器４３４の出力信号ＳＧ415に基づいて、ＨＤＭＩケーブル１がテレビ受信機３０に接続されたか否かを認識できる。
【０１１６】
また、図９において、リザーブライン５０１のＤＣバイアス電位で、ＨＤＭＩケーブル１の両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１１７】
上述したように、パーソナルコンピュータ１０はリザーブライン５０１を抵抗４２１でプルアップ（＋５Ｖ）し、テレビ受信機３０はリザーブライン５０１を抵抗４５１でプルダウンする。抵抗４２１，４５１は、ｅ−ＨＤＭＩ非対応機器には存在しない。
【０１１８】
パーソナルコンピュータ１０は、上述したように、比較器４２４で、抵抗４２２および容量４２３からなるローパスフィルタを通過したリザーブライン５０１のＤＣ電位を基準電圧Ｖref1と比較する。テレビ受信機３０が、ｅ−ＨＤＭＩ対応機器でプルダウン抵抗４５１があるときには、リザーブライン５０１の電圧が２．５Ｖとなる。しかし、テレビ受信機３０が、ｅ−ＨＤＭＩ非対応機器でプルダウン抵抗４５１がないときには、リザーブライン５０１の電圧がプルアップ抵抗４２１の存在により５Ｖとなる。
【０１１９】
そのため、基準電圧Ｖref1が例えば３．７５Ｖとされることで、比較器４２４の出力信号ＳＧ414は、テレビ受信機３０がｅ−ＨＤＭＩ対応機器であるときは低レベルとなり、そうでないときは高レベルとなる。これにより、パーソナルコンピュータ１０のＣＰＵ１３は、比較器４２４の出力信号ＳＧ414に基づいて、テレビ受信機３０がｅ−ＨＤＭＩ対応機器であるか否かを認識できる。
【０１２０】
同様に、テレビ受信機３０は、上述したように、比較器４５４で、抵抗４５２および容量４５３からなるローパスフィルタを通過したリザーブライン５０１のＤＣ電位を基準電圧Ｖref3と比較する。パーソナルコンピュータ１０が、ｅ−ＨＤＭＩ対応機器でプルアップ抵抗４２１があるときには、リザーブライン５０１の電圧が２．５Ｖとなる。しかし、パーソナルコンピュータ１０が、ｅ−ＨＤＭＩ非対応機器でプルアップ抵抗４２１がないときには、リザーブライン５０１の電圧がプルダウン抵抗４５１の存在により０Ｖとなる。
【０１２１】
そのため、基準電圧Ｖref3が例えば１．２５Ｖとされることで、比較器４５４の出力信号ＳＧ416は、パーソナルコンピュータ１０がｅ−ＨＤＭＩ対応機器であるときは高レベルとなり、そうでないときは低レベルとなる。これにより、テレビ受信機３０のＣＰＵ５１は、比較器４５４の出力信号ＳＧ416に基づいて、パーソナルコンピュータ１０がｅ−ＨＤＭＩ対応機器であるか否かを認識できる。
【０１２２】
次に、図１０を参照して、パーソナルコンピュータ１０のテレビ受信機３０に対するファイヤーウォールの解除シーケンスの一例を説明する。なお、コマンドの略号については、「Open RQ」は「Open Request」を示し、「Open Res」は「Open Response」を示し、「Close RQ」は「Close Request」を示し、「Close Res」は「Close Response」を示し、「IP_AD」は「IP Address」を示している。このコマンドの略号については、後述する図１２においても同様である。
【０１２３】
（ａ）パーソナルコンピュータ１０とテレビ受信機３０がＨＤＭＩケーブル１を介して接続された場合、パーソナルコンピュータ１０の電源端子（＋５Ｖ Power 端子）から＋５Ｖの電源がＨＤＭＩケーブル１を介して、テレビ受信機３０の電源端子（＋５Ｖ Power 端子）に供給される（図５参照）。（ｂ）これにより、テレビ受信機３０のＨＰＤ端子およびパーソナルコンピュータ１０のＨＰＤ端子はほぼ＋５Ｖとなり、テレビ受信機３０およびパーソナルコンピュータ１０はＨＤＭＩケーブル１で接続されたことを検出する。
【０１２４】
（ｃ）テレビ受信機３０のＣＰＵ５１は、ＨＤＭＩケーブル１のＣＥＣラインを用いて、パーソナルコンピュータ１０に、ＣＥＣ Firewall 解除コマンドを送信する。ここで、コマンド体系としては、例えば、図１１に示すように、Vender Specific commandにおけるVender  <Maker>固有のＯＰコードを使用する。このコマンドには、データ部分に、テレビ受信機３０のＩＰアドレス（IP AD）と、開放を要求するポートの番号（Port#）が含まれる。
【０１２５】
（ｄ）パーソナルコンピュータ１０のＣＰＵ１３は、テレビ受信機３０からのＣＥＣ Firewall 解除コマンドを受信し、適正なFirewall open 処理を行う。すなわち、ＣＰＵ１３は、ＣＥＣ Firewall 解除コマンドに含まれるＩＰアドレスに対するアクセス制限を解除し、また、当該コマンドに含まれるポート番号のポート（port）を開放する。（ｅ）そして、パーソナルコンピュータ１０は、Firewallopen 処理が終わった後に、ＣＥＣ解除レスポンスのコマンドを、ＨＤＭＩケーブル１のＣＥＣラインを用いて、テレビ受信機３０に送信する。
【０１２６】
（ｆ）テレビ受信機３０のＣＰＵ５１は、パーソナルコンピュータ１０からのＣＥＣ解除レスポンスのコマンドを受信し、高速データライン（Ether Line）での送信が可能になったことを認知し、（ｇ）その後、必要に応じて、高速データラインを用いてデータ伝送を行う。
【０１２７】
その後、パーソナルコンピュータ１０の電源が入った状態（スタンバイ状態を含む）で、テレビ受信機３０の電源スイッチが押されて、電源オフの処理がスタートした場合、（ｈ）テレビ受信機３０のＣＰＵ５１は、ＨＤＭＩケーブル１のＣＥＣラインを用いて、パーソナルコンピュータ１０に、ＣＥＣ Firewall解除終了コマンドを送信する。
【０１２８】
（ｉ）パーソナルコンピュータ１０のＣＰＵ１３は、テレビ受信機３０からのＣＥＣ Firewall解除終了コマンドを受信し、（ｊ）直ちに、テレビ受信機３０に、ＣＥＣ解除終了レスポンスのコマンドを送信する。（ｋ）テレビ受信機３０のＣＰＵ５１は、パーソナルコンピュータ１０からのＣＥＣ解除終了レスポンスのコマンドを受信し、ファイヤーウォール解除のシーケンスを終了する。なお、テレビ受信機３０は、このようにファイヤーウォール解除のシーケンスを終了した後に、実質的な電源オフの処理に入る。
【０１２９】
（ｍ）パーソナルコンピュータ１０のＣＰＵ１３は、テレビ受信機３０がＣＥＣ解除終了レスポンスのコマンドを受信できる十分な時間が経過してから、ファイヤーウォールの解除を中止する、Firewall close 処理を行う。このFirewall close 処理では、ファイヤーウォールの解除を行っていたポート（port）の開放の中止、およびアクセス可能になっていたＩＰアドレスに対するアクセス制限を再開する。
【０１３０】
図１０に示すファイヤーウォールの解除シーケンスによれば、パーソナルコンピュータ１０におけるテレビ受信機３０に対するファイヤーウォールは、テレビ受信機３０がＨＤＭＩケーブル１を介してパーソナルコンピュータ１０に接続される場合に、自動的に解除されて接続性が確保され、テレビ受信機３０からパーソナルコンピュータ１０への高速データラインを用いたデータ伝送が可能な状態となる。また、図１０に示すファイヤーウォールの解除シーケンスによれば、パーソナルコンピュータ１０におけるテレビ受信機３０に対するファイヤーウォールが解除された状態で、テレビ受信機３０で電源オフの操作が行われた場合、ファイヤーウォールの解除が自動的に中止される。
【０１３１】
次に、図１２を参照して、パーソナルコンピュータ１０のテレビ受信機３０に対するファイヤーウォールの解除シーケンスの他の例を説明する。
【０１３２】
（ａ）パーソナルコンピュータ１０とテレビ受信機３０がＨＤＭＩケーブル１を介して接続された場合、パーソナルコンピュータ１０の電源端子（＋５Ｖ Power 端子）から＋５Ｖの電源がＨＤＭＩケーブル１を介して、テレビ受信機３０の電源端子（＋５Ｖ Power 端子）に供給される（図５参照）。（ｂ）これにより、テレビ受信機３０のＨＰＤ端子およびパーソナルコンピュータ１０のＨＰＤ端子はほぼ＋５Ｖとなり、テレビ受信機３０およびパーソナルコンピュータ１０はＨＤＭＩケーブル１で接続されたことを検出する。
【０１３３】
（ｃ）高速データライン（Ether Line）によるデータ伝送の要求があるとき、（ｄ）テレビ受信機３０のＣＰＵ５１は、ＨＤＭＩケーブル１のＣＥＣラインを用いて、パーソナルコンピュータ１０に、ＣＥＣ Firewall解除コマンドを送信する。このコマンドには、データ部分に、テレビ受信機３０のＩＰアドレス（IP AD）と、開放を要求するポートの番号（Port#）が含まれる。
【０１３４】
（ｅ）パーソナルコンピュータ１０のＣＰＵ１３は、テレビ受信機３０からのＣＥＣ Firewall解除コマンドを受信し、適正なFirewall open 処理を行う。すなわち、ＣＰＵ１３は、ＣＥＣ Firewall解除コマンドに含まれるＩＰアドレスに対するアクセス制限を解除し、また、当該コマンドに含まれるポート番号のポート（port）を開放する。（ｆ）そして、パーソナルコンピュータ１０は、Firewallopen 処理が終わった後に、ＣＥＣ解除レスポンスのコマンドを、ＨＤＭＩケーブル１のＣＥＣラインを用いて、テレビ受信機３０に送信する。
【０１３５】
（ｇ）テレビ受信機３０のＣＰＵ５１は、パーソナルコンピュータ１０からのＣＥＣ解除レスポンスのコマンドを受信し、高速データライン（Ether Line）での送信が可能になったことを認知し、（ｈ）高速データラインを用いてデータ伝送を行う。
【０１３６】
（ｉ）データ伝送が終了したとき、（ｊ）テレビ受信機３０のＣＰＵ５１は、ＨＤＭＩケーブル１のＣＥＣラインを用いて、パーソナルコンピュータ１０に、ＣＥＣ Firewall 解除終了のコマンドを送信する。
【０１３７】
（ｋ）パーソナルコンピュータ１０のＣＰＵ１３は、テレビ受信機３０からのＣＥＣ Firewall 解除終了のコマンドを受信し、（ｍ）直ちに、テレビ受信機３０に、ＣＥＣ解除終了レスポンスのコマンドを送信する。（ｎ）テレビ受信機３０のＣＰＵ５１は、パーソナルコンピュータ１０からのＣＥＣ解除終了レスポンスのコマンドを受信し、ファイヤーウォール解除のシーケンスを終了する。
【０１３８】
（ｐ）パーソナルコンピュータ１０のＣＰＵ１３は、テレビ受信機３０がＣＥＣ解除終了レスポンスのコマンドを受信できる十分な時間が経過してから、ファイヤーウォールの解除を中止する、Firewall close 処理を行う。このFirewall close 処理では、ファイヤーウォールの解除を行っていたポート（port）の開放の中止、およびアクセス可能になっていたＩＰアドレスに対するアクセス制限を再開する。
【０１３９】
図１２に示すファイヤーウォールの解除シーケンスによれば、高速データラインを用いたデータ伝送の要求があるとき、パーソナルコンピュータ１０におけるテレビ受信機３０に対するファイヤーウォールは自動的に解除され、高速データラインを用いたデータ伝送が可能な状態となる。また、図１２に示すファイヤーウォールの解除シーケンスによれば高速データラインによるデータ伝送が終了したとき、パーソナルコンピュータ１０におけるテレビ受信機３０に対するファイヤーウォールの解除は自動的に中止される。
【０１４０】
なお、図１２に示すファイヤーウォールの解除シーケンスにおいては、ＣＥＣ Firewall 解除コマンドの送信シーケンスがテレビ受信機３０側から始まるものを示している（図１２（ｄ）参照）。しかし、ＣＥＣ Firewall 解除コマンドの送信シーケンスをパーソナルコンピュータ１０側から始めることもできる。
【０１４１】
このパーソナルコンピュータ１０のＣＰＵ１３は、高速データラインによるデータ伝送の要求があるとき、テレビ受信機３０に、ＣＥＣ Firewall 解除コマンドをＩＰアドレスおよびポート番号をNullで送信する。このＣＥＣ Firewall 解除コマンドを受信したテレビ受信機３０のＣＰＵ５１は、ＣＥＣFirewall 解除コマンドに必要なＩＰアドレスおよびポート番号を入れて、パーソナルコンピュータ１０に戻す。以降は、図１２に示すシーケンスと同様である。
【０１４２】
また、このようにＣＥＣ Firewall 解除コマンドの送信シーケンスをパーソナルコンピュータ１０側から始める場合、ＣＥＣ Firewall 解除コマンドをＩＰアドレスおよびポート番号をNullで送信する代わりに、パーソナルコンピュータ１０のＣＰＵ１３は、テレビ受信機３０に、ＣＥＣ Firewall 解除コマンドの送信シーケンスを開始させるように指示するコマンド、例えば、ＣＥＣ[open sequence start]Commandを、送信するようにしてもよい。
【０１４３】
このように、図１０、図１２に示すファイヤーウォールの解除シーケンスによれば、テレビ受信機３０からパーソナルコンピュータ１０にＣＥＣ Firewall解除コマンドを送信することで、パーソナルコンピュータ１０では自動で適正なファイヤーウォールの解除が行われるものであり、セキュリティと接続性を、ユーザが煩雑な設定を行うことなく、確保でき、ユーザの使い勝手が向上する。
【０１４４】
また、図１０、図１２に示すファイヤーウォールの解除シーケンスによれば、パーソナルコンピュータ１０にＨＤＭＩケーブル１を介してテレビ受信機３０が接続されるとき、あるいは高速データラインによるデータ伝送の要求があるとき、パーソナルコンピュータ１０におけるテレビ受信機３０に対するファイヤーウォールが自動的に解除されるものであり、ファイヤーウォールの解除を適正なときにタイムリーに行うことができる。
【０１４５】
なお、上述の図１０、図１２に示すファイヤーウォールの解除シーケンスにはないが、パーソナルコンピュータ１０においてテレビ受信機３０に対するファイヤーウォールが解除されている状態で、Firewall close 処理が正常に行われないで、パーソナルコンピュータ１０とテレビ受信機３０との接続が切られた場合、パーソナルコンピュータ１０はＨＰＤ検出で当該接続が切られたことを知ることができる。パーソナルコンピュータ１０は、テレビ受信機３０との接続が切られたことが検出されるとき、Firewall close 処理を行う。
【０１４６】
また、上述の説明では、ファイヤーウォールの解除設定で、ポート設定およびＩＰアドレス設定の双方を行うものを示したが、ポートのみの設定、あるいはＩＰアドレスの設定のみ等、解除設定を必要に応じて調整してもよい。また、テレビ受信機３０は、セキュリティを高めるため、ファイヤーウォールの解除を要求するポート番号を、通信毎に適正な番号に変更してもよい。
【０１４７】
また、上述の図１０、図１２に示すファイヤーウォールの解除シーケンスの説明では、ＣＥＣ Firewall 解除コマンドのデータ部分にＩＰアドレスおよびポート番号が含まれる場合について説明した。テレビ受信機３０からパーソナルコンピュータ１０にＣＥＣラインで送る解除データのセキュリティを高めるため、下記の操作を加えてもよい。
【０１４８】
（１）ＣＥＣで伝送するデータに、ＩＰアドレス、ポート番号のほか、ＭＡＣアドレス等を付加し、あるいはそれらの組み合わせを変えたりしてもよい。
【０１４９】
（２）ＣＥＣラインの情報は、テレビ受信機３０に接続している全てに伝わるため、解除データの送信には警戒を要する。そのため、セキュリティを高めるため（成り代わりやスキームを防ぐため）、さらに次の操作を加えてもよい。
【０１５０】
（ａ）Firewall解除信号は認証を受けたものだけ有効とする。
（ｂ）送る解除データを暗号化する。
（ｃ）Ether接続できた後、etherラインで別ポートへのポート移転データを早々に送り、主にはその部分でストリーム送信を行う。すなわち、ＣＥＣでのポート設定はEtherへの導入で使用する。
（ｄ）portの変更と解除はＣＥＣラインで行うのでなく、etherラインでのＤＴＣＰ−ＩＰを掛けた状態で行う。
（ｅ）上述の（ａ）〜（ｄ）を併用する。
【０１５１】
なお、図１に示すＡＶシステム５においては、双方向通信を行う通信部が、ＨＤＭＩケーブル１のリザーブライン（Ether−ライン）およびＨＰＤライン（Ether＋ライン）を用いて構成されるものを示したが（図９参照）、双方向通信を行う通信部の構成は、これに限定されるものではない。以下に、その他の構成例を説明する。以下の例では、パーソナルコンピュータ１０をソース機器とし、テレビ受信機３０をシンク機器として説明する。
【０１５２】
図１３は、ＣＥＣライン８４、およびリザーブライン８８を用いて、半二重通信方式によるＩＰ通信を行う例である。なお、図１３において図４と対応する部分については、同一の符号を付してあり、その説明は適宜省略する。
【０１５３】
ソース機器の高速データラインインタフェース１２Ａは、変換部１３１、復号部１３２、スイッチ１３３、切り換え制御部１２１、およびタイミング制御部１２２を有している。変換部１３１には、ソース機器とシンク機器との間での双方向のＩＰ通信により、ソース機器からシンク機器に送信されるデータである、Ｔｘデータが供給される。
【０１５４】
変換部１３１は、例えば、差動アンプリファイアにより構成され、供給されたＴｘデータを２つの部分信号からなる差動信号に変換する。また、変換部１３１は、変換により得られた差動信号をＣＥＣライン８４、およびリザーブライン８８を介してシンク機器に送信する。すなわち、変換部１３１は、変換により得られた差動信号を構成する一方の部分信号をＣＥＣライン８４、より詳細にはソース機器に設けられた信号線であって、ＨＤＭＩケーブル１のＣＥＣライン８４に接続される信号線を介してスイッチ１３３に供給し、差動信号を構成する他方の部分信号をリザーブライン８８、より詳細には、ソース機器に設けられた信号線であって、ＨＤＭＩケーブル１のリザーブライン８８に接続される信号線、およびリザーブライン８８を介してシンク機器に供給する。
【０１５５】
復号部１３２は、例えば、差動アンプリファイアにより構成され、その入力端子が、ＣＥＣライン８４およびリザーブライン８８に接続されている。復号部１３２は、タイミング制御部１２２の制御に基づいて、ＣＥＣライン８４およびリザーブライン８８を介してシンク機器から送信されてきた差動信号、つまりＣＥＣライン８４上の部分信号およびリザーブライン８８上の部分信号からなる差動信号を受信し、元のデータであるＲｘデータに復号して出力する。ここで、Ｒｘデータとは、ソース機器とシンク機器との間での双方向のＩＰ通信により、シンク機器からソース機器に送信されるデータである。
【０１５６】
スイッチ１３３には、データを送信するタイミングにおいて、ソース機器の制御部（ＣＰＵ）からのＣＥＣ信号、または変換部１３１からのＴｘデータに対応する差動信号を構成する部分信号が供給され、データを受信するタイミングにおいて、シンク機器からのＣＥＣ信号、またはシンク機器からのＲｘデータに対応する差動信号を構成する部分信号が供給される。スイッチ１３３は、切り換え制御部１２１からの制御に基づいて、制御部（ＣＰＵ）からのＣＥＣ信号、もしくはシンク機器からのＣＥＣ信号、またはＴｘデータに対応する差動信号を構成する部分信号、もしくはＲｘデータに対応する差動信号を構成する部分信号を選択して出力する。
【０１５７】
すなわち、スイッチ１３３は、ソース機器がシンク機器にデータを送信するタイミングにおいて、制御部（ＣＰＵ）から供給されたＣＥＣ信号、または変換部１３１から供給された部分信号のうちのいずれかを選択し、選択したＣＥＣ信号または部分信号を、ＣＥＣライン８４を介してシンク機器に送信する。
【０１５８】
また、スイッチ１３３は、ソース機器がシンク機器から送信されてきたデータを受信するタイミングにおいて、ＣＥＣライン８４を介してシンク機器から送信されてきたＣＥＣ信号、またはＲｘデータに対応する差動信号の部分信号を受信し、受信したＣＥＣ信号または部分信号を、制御部（ＣＰＵ）または復号部１３２に供給する。
【０１５９】
切り換え制御部１２１はスイッチ１３３を制御して、スイッチ１３３に供給される信号のうちのいずれかが選択されるようにスイッチ１３３を切り換える。タイミング制御部１２２は、復号部１３２による差動信号の受信のタイミングを制御する。
【０１６０】
また、シンク機器の高速データラインインタフェース３２Ａは、変換部１３４、復号部１３６、スイッチ１３５、切り換え制御部１２４、およびタイミング制御部１２３を有している。変換部１３４は、例えば、差動アンプリファイアにより構成され、変換部１３４にはＲｘデータが供給される。変換部１３４は、タイミング制御部１２３の制御に基づいて、供給されたＲｘデータを２つの部分信号からなる差動信号に変換し、変換により得られた差動信号をＣＥＣライン８４およびリザーブライン８８を介してソース機器に送信する。
【０１６１】
すなわち、変換部１３４は、変換により得られた差動信号を構成する一方の部分信号をＣＥＣライン８４、より詳細にはシンク機器に設けられた信号線であって、ＨＤＭＩケーブル１のＣＥＣライン８４に接続される信号線を介してスイッチ１３５に供給し、差動信号を構成する他方の部分信号をリザーブライン８８、より詳細には、シンク機器に設けられた信号線であって、ＨＤＭＩケーブル１のリザーブライン８８に接続される信号線、およびリザーブライン８８を介してソース機器に供給する。
【０１６２】
スイッチ１３５には、データを受信するタイミングにおいて、ソース機器からのＣＥＣ信号、またはソース機器からのＴｘデータに対応する差動信号を構成する部分信号が供給され、データを送信するタイミングにおいて、変換部１３４からのＲｘデータに対応する差動信号を構成する部分信号、またはシンク機器の制御部（ＣＰＵ）からのＣＥＣ信号が供給される。スイッチ１３５は、切り換え制御部１２４からの制御に基づいて、ソース機器からのＣＥＣ信号、もしくは制御部（ＣＰＵ）からのＣＥＣ信号、またはＴｘデータに対応する差動信号を構成する部分信号、若しくはＲｘデータに対応する差動信号を構成する部分信号を選択して出力する。
【０１６３】
すなわち、スイッチ１３５は、シンク機器がソース機器にデータを送信するタイミングにおいて、シンク機器の制御部（ＣＰＵ）から供給されたＣＥＣ信号、または変換部１３４から供給された部分信号のうちのいずれかを選択し、選択したＣＥＣ信号または部分信号を、ＣＥＣライン８４を介してソース機器に送信する。
【０１６４】
また、スイッチ１３５は、シンク機器がソース機器から送信されてきたデータを受信するタイミングにおいて、ＣＥＣライン８４を介してソース機器から送信されてきたＣＥＣ信号、またはＴｘデータに対応する差動信号の部分信号を受信し、受信したＣＥＣ信号または部分信号を、制御部（ＣＰＵ）または復号部１３６に供給する。
【０１６５】
復号部１３６は、例えば、差動アンプリファイアにより構成され、その入力端子が、ＣＥＣライン８４およびリザーブライン８８に接続されている。復号部１３６は、ＣＥＣライン８４およびリザーブライン８８を介してソース機器から送信されてきた差動信号、つまりＣＥＣライン８４上の部分信号およびリザーブライン８８上の部分信号からなる差動信号を受信し、元のデータであるＴｘデータに復号して出力する。
【０１６６】
切り換え制御部１２４はスイッチ１３５を制御して、スイッチ１３５に供給される信号のうちのいずれかが選択されるようにスイッチ１３５を切り換える。タイミング制御部１２３は、変換部１３４による差動信号の送信のタイミングを制御する。
【０１６７】
図１４は、ＣＥＣライン８４およびリザーブライン８８と、ＳＤＡ信号が伝送される信号線（ＳＤＡライン）およびＳＣＬ信号が伝送される信号線（ＳＣＬライン）とを用いて、全二重通信方式によるＩＰ通信を行う例である。なお、図１４において図１３と対応する部分については、同一の符号を付してあり、その説明は適宜省略する。
【０１６８】
ソース機器の高速データラインインタフェース１２Ａは、変換部１３１、スイッチ１３３、スイッチ１８１、スイッチ１８２、復号部１８３、切り換え制御部１２１および切り換え制御部１７１を有している。
【０１６９】
スイッチ１８１には、データを送信するタイミングにおいて、ソース機器の制御部（ＣＰＵ）からのＳＤＡ信号が供給され、データを受信するタイミングにおいて、シンク機器からのＳＤＡ信号、またはシンク機器からのＲｘデータに対応する差動信号を構成する部分信号が供給される。スイッチ１８１は、切り換え制御部１７１からの制御に基づいて、制御部（ＣＰＵ）からのＳＤＡ信号、もしくはシンク機器からのＳＤＡ信号、またはＲｘデータに対応する差動信号を構成する部分信号を選択して出力する。
【０１７０】
すなわち、スイッチ１８１は、ソース機器がシンク機器から送信されてくるデータを受信するタイミングにおいて、ＳＤＡ信号が伝送される信号線であるＳＤＡライン１９１を介してシンク機器から送信されてきたＳＤＡ信号、またはＲｘデータに対応する差動信号の部分信号を受信し、受信したＳＤＡ信号または部分信号を、制御部（ＣＰＵ）または復号部１８３に供給する。
【０１７１】
また、スイッチ１８１は、ソース機器がシンク機器にデータを送信するタイミングにおいて、制御部（ＣＰＵ）から供給されたＳＤＡ信号を、ＳＤＡライン１９１を介してシンク機器に送信するか、またはシンク機器に何も送信しない。
【０１７２】
スイッチ１８２には、データを送信するタイミングにおいて、ソース機器の制御部（ＣＰＵ）からのＳＣＬ信号が供給され、データを受信するタイミングにおいて、シンク機器からのＲｘデータに対応する差動信号を構成する部分信号が供給される。スイッチ１８２は、切り換え制御部１７１からの制御に基づいて、ＳＣＬ信号またはＲｘデータに対応する差動信号を構成する部分信号のうちのいずれかを選択して出力する。
【０１７３】
すなわち、スイッチ１８２は、ソース機器がシンク機器から送信されてくるデータを受信するタイミングにおいて、ＳＣＬ信号が伝送される信号線であるＳＣＬライン１９２を介してシンク機器から送信されてきた、Ｒｘデータに対応する差動信号の部分信号を受信し、受信した部分信号を復号部１８３に供給するか、または何も受信しない。
【０１７４】
また、スイッチ１８２は、ソース機器がシンク機器にデータを送信するタイミングにおいて、ソース機器の制御部（ＣＰＵ）から供給されたＳＣＬ信号を、ＳＣＬライン１９２を介してシンク機器に送信するか、または何も送信しない。
【０１７５】
復号部１８３は、例えば、差動アンプリファイアにより構成され、その入力端子が、ＳＤＡライン１９１およびＳＣＬライン１９２に接続されている。復号部１８３は、ＳＤＡライン１９１およびＳＣＬライン１９２を介してシンク機器から送信されてきた差動信号、つまりＳＤＡライン１９１上の部分信号およびＳＣＬライン１９２上の部分信号からなる差動信号を受信し、元のデータであるＲｘデータに復号して出力する。
【０１７６】
切り換え制御部１７１はスイッチ１８１およびスイッチ１８２を制御して、スイッチ１８１およびスイッチ１８２のそれぞれについて、供給される信号のうちのいずれかが選択されるようにスイッチ１８１およびスイッチ１８２を切り換える。
【０１７７】
また、シンク機器を構成する高速データラインインタフェース３２Ａは、変換部１８４、スイッチ１３５、スイッチ１８５、スイッチ１８６、復号部１３６、切り換え制御部１７２および切り換え制御部１２４を有している。
【０１７８】
変換部１８４は、例えば、差動アンプリファイアにより構成され、変換部１８４にはＲｘデータが供給される。変換部１８４は、供給されたＲｘデータを２つの部分信号からなる差動信号に変換し、変換により得られた差動信号をＳＤＡライン１９１およびＳＣＬライン１９２を介してソース機器に送信する。すなわち、変換部１８４は、変換により得られた差動信号を構成する一方の部分信号をスイッチ１８５を介してソース機器に送信し、差動信号を構成する他方の部分信号をスイッチ１８６を介してソース機器に送信する。
【０１７９】
スイッチ１８５には、データを送信するタイミングにおいて、変換部１８４からのＲｘデータに対応する差動信号を構成する部分信号、またはシンク機器の制御部（ＣＰＵ）からのＳＤＡ信号が供給され、データを受信するタイミングにおいて、ソース機器からのＳＤＡ信号が供給される。スイッチ１８５は、切り換え制御部１７２からの制御に基づいて、制御部（ＣＰＵ）からのＳＤＡ信号、もしくはソース機器からのＳＤＡ信号、またはＲｘデータに対応する差動信号を構成する部分信号を選択して出力する。
【０１８０】
すなわち、スイッチ１８５は、シンク機器がソース機器から送信されてくるデータを受信するタイミングにおいて、ＳＤＡライン１９１を介してソース機器から送信されてきたＳＤＡ信号を受信し、受信したＳＤＡ信号を制御部（ＣＰＵ）に供給するか、または何も受信しない。
【０１８１】
また、スイッチ１８５は、シンク機器がソース機器にデータを送信するタイミングにおいて、制御部（ＣＰＵ）から供給されたＳＤＡ信号、または変換部１８４から供給された部分信号を、ＳＤＡライン１９１を介してソース機器に送信する。
【０１８２】
スイッチ１８６には、データを送信するタイミングにおいて、変換部１８４からの、Ｒｘデータに対応する差動信号を構成する部分信号が供給され、データを受信するタイミングにおいて、ソース機器からのＳＣＬ信号が供給される。スイッチ１８６は、切り換え制御部１７２からの制御に基づいて、Ｒｘデータに対応する差動信号を構成する部分信号、またはＳＣＬ信号のうちのいずれかを選択して出力する。
【０１８３】
すなわち、スイッチ１８６は、シンク機器がソース機器から送信されてくるデータを受信するタイミングにおいて、ＳＣＬライン１９２を介してソース機器から送信されてきたＳＣＬ信号を受信し、受信したＳＣＬ信号を制御部（ＣＰＵ）に供給するか、または何も受信しない。
【０１８４】
また、スイッチ１８６は、シンク機器がソース機器にデータを送信するタイミングにおいて、変換部１８４から供給された部分信号を、ＳＣＬライン１９２を介してソース機器に送信するか、または何も送信しない。
【０１８５】
切り換え制御部１７２はスイッチ１８５およびスイッチ１８６を制御して、スイッチ１８５およびスイッチ１８６のそれぞれについて、供給される信号のうちのいずれかが選択されるようにスイッチ１８５およびスイッチ１８６を切り換える。
【０１８６】
ところで、ソース機器とシンク機器とがＩＰ通信を行う場合に、半二重通信が可能であるか、全二重通信が可能であるかは、ソース機器およびシンク機器のそれぞれの構成によって定まる。そこで、ソース機器は、シンク機器から受信したＥ−ＥＤＩＤを参照して、半二重通信を行うか、全二重通信を行うか、またはＣＥＣ信号の授受による双方向通信を行うかの判定を行う。
【０１８７】
ソース機器が受信するＥ−ＥＤＩＤは、例えば、図１５に示すように、基本ブロックと拡張ブロックとからなる。
【０１８８】
Ｅ−ＥＤＩＤの基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０１８９】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０１９０】
これに対して、拡張ブロックの先頭には、“Ｓｐｅａｋｅｒ  Ａｌｌｏｃａｔｉｏｎ”で表される左右のスピーカに関する情報が配置され、続いて“ＶＩＤＥＯ  ＳＨＯＲＴ”で表される、表示可能な画像サイズ、フレームレート、インターレースであるかプログレッシブであるかを示す情報、アスペクト比などの情報が記述されたデータ、“ＡＵＤＩＯ  ＳＨＯＲＴ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０１９１】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０１９２】
さらに、“Ｖｅｎｄｅｒ  Ｓｐｅｃｉｆｉｃ”で表されるデータは、図１６に示すデータ構造となっている。すなわち、“Ｖｅｎｄｅｒ  Ｓｐｅｃｉｆｉｃ”で表されるデータには、１バイトのブロックである第０ブロック乃至第Ｎブロックが設けられている。
【０１９３】
“Ｖｅｎｄｅｒ  Ｓｐｅｃｉｆｉｃ”で表されるデータの先頭に配置された第０ブロックには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【０１９４】
また、第１ブロック乃至第３ブロックには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４ブロックおよび第５ブロックには、”Ａ“、”Ｂ“、”Ｃ“、および”Ｄ“のそれぞれにより表される、２４ｂｉｔのシンク機器の物理アドレスを示す情報が配置される。
【０１９５】
第６ブロックには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ  Ｖｉｓｕａｌ  Ｉｎｔｅｒｆａｃｅ）に対応しているかを示すフラグが配置されている。
【０１９６】
また、第７ブロックには、“Ｍａｘ−ＴＭＤＳ−Ｃｌｏｃｋ”で表されるＴＭＤＳのピクセルクロックの最大の周波数を示す情報が配置される。さらに、第８ブロックには、“Ｌａｔｅｎｃｙ”で表される映像と音声の遅延情報の有無を示すフラグ、“Ｆｕｌｌ  Ｄｕｐｌｅｘ”で表される全二重通信が可能であるかを示す全二重フラグ、および“Ｈａｌｆ  Ｄｕｐｌｅｘ”で表される半二重通信が可能であるかを示す半二重フラグが配置されている。
【０１９７】
ここで、たとえばセットされている（たとえば“１”に設定されている）全二重フラグは、シンク機器が全二重通信を行う機能を有している、つまり図１４に示した構成とされることを示しており、リセットされている（たとえば“０”に設定されている）全二重フラグは、シンク機器が全二重通信を行う機能を有していないことを示している。
【０１９８】
同様に、セットされている（たとえば“１”に設定されている）半二重フラグは、シンク機器が半二重通信を行う機能を有している、つまり図１３に示した構成とされることを示しており、リセットされている（たとえば“０”に設定されている）半二重フラグは、シンク機器が半二重通信を行う機能を有していないことを示している。
【０１９９】
また、“Ｖｅｎｄｅｒ  Ｓｐｅｃｉｆｉｃ”で表されるデータの第９ブロックには、“Ｖｉｄｅｏ  Ｌａｔｅｎｃｙ”で表されるプログレッシブの映像の遅延時間データが配置され、第１０ブロックには、“Ａｕｄｉｏ  Ｌａｔｅｎｃｙ”で表される、プログレッシブの映像に付随する音声の遅延時間データが配置される。さらに、第１１ブロックには、“Ｉｎｔｅｒｌａｃｅｄ  Ｖｉｄｅｏ  Ｌａｔｅｎｃｙ”で表されるインターレースの映像の遅延時間データが配置され、第１２ブロックには、“Ｉｎｔｅｒｌａｃｅｄ  Ａｕｄｉｏ  Ｌａｔｅｎｃｙ”で表される、インターレースの映像に付随する音声の遅延時間データが配置される。
【０２００】
ソース機器は、シンク機器から受信したＥ−ＥＤＩＤに含まれている全二重フラグおよび半二重フラグに基づいて、半二重通信を行うか、全二重通信を行うか、またはＣＥＣ信号の授受による双方向通信を行うかの判定を行い、その判定結果にしたがって、シンク機器との双方向の通信を行う。
【０２０１】
例えば、ソース機器が図１３に示した構成とされている場合、ソース機器は、図１３に示したシンク機器とは半二重通信を行うことができるが、図１４に示したシンク機器とは半二重通信を行うことができない。そこで、ソース機器は、ソース機器の電源がオンされると通信処理を開始し、ソース機器に接続されたシンク機器の有する機能に応じた双方向の通信を行う。
【０２０２】
以下、図１７のフローチャートを参照して、図１３に示したソース機器による通信処理について説明する。
【０２０３】
ステップＳ１１において、ソース機器は、ソース機器に新たな電子機器が接続されたか否かを判定する。例えば、ソース機器は、ＨＰＤライン８６が接続されるＨｏｔ  Ｐｌｕｇ  Ｄｅｔｅｃｔと呼ばれるピンに対して付加された電圧の大きさに基づいて、新たな電子機器（シンク機器）が接続されたか否かを判定する。
【０２０４】
ステップＳ１１において、新たな電子機器が接続されていないと判定された場合、通信は行われないので、通信処理は終了する。これに対して、ステップＳ１１において、新たな電子機器が接続されたと判定された場合、ステップＳ１２において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２０５】
ステップＳ１３において、ソース機器は、ＤＤＣ８３を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３を介してソース機器に送信するので、ソース機器は、シンク機器から送信されてきたＥ−ＥＤＩＤを受信する。
【０２０６】
ステップＳ１４において、ソース機器は、シンク機器との半二重通信が可能であるか否かを判定する。すなわち、ソース機器は、シンク機器から受信したＥ−ＥＤＩＤを参照して、図１６の半二重フラグ“Ｈａｌｆ  Ｄｕｐｌｅｘ”がセットされているか否かを判定し、例えば、半二重フラグがセットされている場合、ソース機器は、半二重通信方式による双方向のＩＰ通信、つまり半二重通信が可能であると判定する。
【０２０７】
ステップＳ１４において、半二重通信が可能であると判定された場合、ステップＳ１５において、ソース機器は、双方向の通信に用いるチャネルを示すチャネル情報として、ＣＥＣライン８４およびリザーブライン８８を用いた半二重通信方式によるＩＰ通信を行う旨の信号を、スイッチ１３３およびＣＥＣライン８４を介してシンク機器に送信する。
【０２０８】
すなわち、半二重フラグがセットされている場合、ソース機器は、シンク機器が図１３に示した構成であり、ＣＥＣライン８４およびリザーブライン８８を用いた半二重通信が可能であることが分かるので、チャネル情報をシンク機器に送信して、半二重通信を行う旨を通知する。
【０２０９】
ステップＳ１６において、切り換え制御部１２１はスイッチ１３３を制御し、データの送信時において変換部１３１からのＴｘデータに対応する差動信号が選択され、データの受信時においてシンク機器からのＲｘデータに対応する差動信号が選択されるように、スイッチ１３３を切り換える。
【０２１０】
ステップＳ１７において、ソース機器の各部は、半二重通信方式により、シンク機器との双方向のＩＰ通信を行い、通信処理は終了する。すなわち、データの送信時において、変換部１３１は、制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号が、ソース機器からシンク機器に送信される。
【０２１１】
また、データの受信時において、復号部１３２は、シンク機器から送信されてきたＲｘデータに対応する差動信号を受信する。すなわち、スイッチ１３３は、ＣＥＣライン８４を介してシンク機器から送信されてきた、Ｒｘデータに対応する差動信号の部分信号を受信し、受信した部分信号を復号部１３２に供給する。復号部１３２は、スイッチ１３３から供給された部分信号、およびリザーブライン８８を介してシンク機器から供給された部分信号からなる差動信号を、タイミング制御部１２２の制御に基づいて、元のデータであるＲｘデータに復号し、制御部（ＣＰＵ）に出力する。
【０２１２】
これにより、ソース機器は、シンク機器と制御データや画素データ、音声データなど、各種のデータの授受を行う。
【０２１３】
また、ステップＳ１４において、半二重通信が可能でないと判定された場合、ステップＳ１８において、ソース機器は、ＣＥＣ信号の送受信を行うことで、シンク機器との双方向の通信を行い、通信処理は終了する。
【０２１４】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２１５】
このようにして、ソース機器は、半二重フラグを参照し、半二重通信が可能なシンク機器と、ＣＥＣライン８４およびリザーブライン８８を用いて半二重通信を行う。
【０２１６】
このように、スイッチ１３３を切り換えて送信するデータ、および受信するデータを選択し、シンク機器と、ＣＥＣライン８４およびリザーブラインを用いた半二重通信、つまり半二重通信方式によるＩＰ通信を行うことで、従来のＨＤＭＩとの互換性を保ちつつ、高速の双方向通信を行うことができる。
【０２１７】
また、ソース機器と同様に、シンク機器も、電源がオンされると通信処理を開始し、ソース機器との双方向の通信を行う。
【０２１８】
以下、図１８のフローチャートを参照して、図１３に示したシンク機器による通信処理について説明する。
【０２１９】
ステップＳ４１において、シンク機器は、シンク機器に新たな電子機器（ソース機器）が接続されたか否かを判定する。例えば、シンク機器は、ＨＰＤライン８６が接続されたＨｏｔ  Ｐｌｕｇ  Ｄｅｔｅｃｔと呼ばれるピンに対して付加された電圧の大きさに基づいて、新たな電子機器が接続されたか否かを判定する。
【０２２０】
ステップＳ４１において、新たな電子機器が接続されていないと判定された場合、通信は行われないので、通信処理は終了する。これに対して、ステップＳ４１において、新たな電子機器が接続されたと判定された場合、ステップＳ４２において、切り換え制御部１２４はスイッチ１３５を制御し、データの送信時において、シンク機器の制御部（ＣＰＵ）からのＣＥＣ信号が選択され、データの受信時においてソース機器からのＣＥＣ信号が選択されるように、スイッチ１３５を切り換える。
【０２２１】
ステップＳ４３において、シンク機器は、ＥＤＩＤＲＯＭ８５からＥ−ＥＤＩＤを読み出し、読み出したＥ−ＥＤＩＤを、ＤＤＣ８３を介してソース機器に送信する。
【０２２２】
ステップＳ４４において、シンク機器は、ソース機器から送信されてきたチャネル情報を受信したか否かを判定する。
【０２２３】
すなわち、ソース機器からは、ソース機器およびシンク機器が有する機能に応じて、双方向の通信のチャネルを示すチャネル情報が送信されてくる。例えば、ソース機器が図１３に示すように構成される場合、ソース機器とシンク機器とは、ＣＥＣライン８４およびリザーブライン８８を用いた半二重通信が可能である。そのため、ソース機器からシンク機器には、ＣＥＣライン８４およびリザーブライン８８を用いたＩＰ通信を行う旨のチャネル情報が送信されてくる。シンク機器は、スイッチ１３５およびＣＥＣライン８４を介してソース機器から送信されてきたチャネル情報を受信し、チャネル情報を受信したと判定する。
【０２２４】
これに対して、ソース機器が半二重通信を行う機能を有していない場合、ソース機器からシンク機器には、チャネル情報が送信されてこないので、シンク機器は、チャネル情報を受信していないと判定する。
【０２２５】
ステップＳ４４において、チャネル情報を受信したと判定された場合、処理はステップＳ４５に進み、切り換え制御部１２４は、スイッチ１３５を制御し、データの送信時において変換部１３４からのＲｘデータに対応する差動信号が選択され、データの受信時においてソース機器からのＴｘデータに対応する差動信号が選択されるように、スイッチ１３５を切り換える。
【０２２６】
ステップＳ４６において、シンク機器は、半二重通信方式により、ソース機器との双方向のＩＰ通信を行い、通信処理は終了する。すなわち、データの送信時において、変換部１３４は、タイミング制御部１２３の制御に基づいて、シンク機器の制御部（ＣＰＵ）から供給されたＲｘデータを差動信号に変換し、変換により得られた差動信号を構成する部分信号のうちの一方をスイッチ１３５に供給し、他方の部分信号をリザーブライン８８を介してソース機器に送信する。スイッチ１３５は、変換部１３４から供給された部分信号を、ＣＥＣライン８４を介してソース機器に送信する。これにより、Ｒｘデータに対応する差動信号がシンク機器からソース機器に送信される。
【０２２７】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２２８】
これにより、シンク機器は、ソース機器と制御データや画素データ、音声データなど、各種のデータの授受を行う。
【０２２９】
また、ステップＳ４４において、チャネル情報を受信していないと判定された場合、ステップＳ４７において、シンク機器は、ＣＥＣ信号の送受信を行うことでソース機器との双方向の通信を行い、通信処理は終了する。
【０２３０】
すなわち、データの送信時において、シンク機器は、スイッチ１３５およびＣＥＣライン８４を介して、ＣＥＣ信号をソース機器に送信し、データの受信時において、シンク機器は、スイッチ１３５およびＣＥＣライン８４を介してソース機器から送信されてきたＣＥＣ信号を受信することで、ソース機器との制御データの授受を行う。
【０２３１】
このようにして、シンク機器は、チャネル情報を受信すると、シンク機器と、ＣＥＣライン８４およびリザーブライン８８を用いて半二重通信を行う。
【０２３２】
このように、シンク機器がスイッチ１３５を切り換えて送信するデータ、および受信するデータを選択し、ソース機器とＣＥＣライン８４およびリザーブライン８８を用いた半二重通信を行うことで、従来のＨＤＭＩとの互換性を保ちつつ、高速の双方向通信を行うことができる。
【０２３３】
また、ソース機器が図１４に示す構成とされる場合、ソース機器は、通信処理において、Ｅ−ＥＤＩＤに含まれる全二重フラグに基づいてシンク機器が全二重通信を行う機能を有しているかを判定し、その判定結果に応じた双方向の通信を行う。
【０２３４】
以下、図１９のフローチャートを参照して、図１４に示したソース機器による通信処理について説明する。
【０２３５】
ステップＳ７１において、ソース機器は、ソース機器に新たな電子機器が接続されたか否かを判定する。ステップＳ７１において、新たな電子機器が接続されていないと判定された場合、通信は行われないので、通信処理は終了する。
【０２３６】
これに対して、ステップＳ７１において、新たな電子機器が接続されたと判定された場合、ステップＳ７２において、切り換え制御部１７１は、スイッチ１８１およびスイッチ１８２を制御し、データの送信時において、スイッチ１８１によりソース機器の制御部（ＣＰＵ）からのＳＤＡ信号が選択され、スイッチ１８２によりソース機器の制御部（ＣＰＵ）からのＳＣＬ信号が選択され、さらにデータの受信時において、スイッチ１８１によりシンク機器からのＳＤＡ信号が選択されるように、スイッチ１８１およびスイッチ１８２を切り換える。
【０２３７】
ステップＳ７３において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２３８】
ステップＳ７４において、ソース機器は、ＤＤＣ８３のＳＤＡライン１９１を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３のＳＤＡライン１９１を介してソース機器に送信するので、ソース機器は、シンク機器から送信されてきたＥ−ＥＤＩＤを受信する。
【０２３９】
ステップＳ７５において、ソース機器は、シンク機器との全二重通信が可能であるか否かを判定する。すなわち、ソース機器は、シンク機器から受信したＥ−ＥＤＩＤを参照して、図１６の全二重フラグ“Ｆｕｌｌ  Ｄｕｐｌｅｘ”がセットされているか否かを判定し、たとえば全二重フラグがセットされている場合、ソース機器は、全二重通信方式による双方向のＩＰ通信、つまり全二重通信が可能であると判定する。
【０２４０】
ステップＳ７５において、全二重通信が可能であると判定された場合、ステップＳ７６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２４１】
すなわち、切り換え制御部１７１は、データの受信時において、シンク機器から送信されてくる、Ｒｘデータに対応した差動信号を構成する部分信号のうち、ＳＤＡライン１９１を介して送信されてくる部分信号がスイッチ１８１により選択され、ＳＣＬライン１９２を介して送信されてくる部分信号がスイッチ１８２により選択されるように、スイッチ１８１およびスイッチ１８２を切り換える。
【０２４２】
ＤＤＣ８３を構成するＳＤＡライン１９１およびＳＣＬライン１９２は、シンク機器からソース機器にＥ−ＥＤＩＤが送信された後は利用されないので、つまりＳＤＡライン１９１およびＳＣＬライン１９２を介したＳＤＡ信号やＳＣＬ信号の送受信は行われないので、スイッチ１８１およびスイッチ１８２を切り換えて、ＳＤＡライン１９１およびＳＣＬライン１９２を、全二重通信によるＲｘデータの伝送路として利用することができる。
【０２４３】
ステップＳ７７において、ソース機器は、双方向の通信のチャネルを示すチャネル情報として、ＣＥＣライン８４およびリザーブライン８８と、ＳＤＡライン１９１およびＳＣＬライン１９２とを用いた全二重通信方式によるＩＰ通信を行う旨の信号を、スイッチ１３３およびＣＥＣライン８４を介してシンク機器に送信する。
【０２４４】
すなわち、全二重フラグがセットされている場合、ソース機器は、シンク機器が図１４に示した構成であり、ＣＥＣライン８４およびリザーブライン８８と、ＳＤＡライン１９１およびＳＣＬライン１９２とを用いた全二重通信が可能であることが分かるので、チャネル情報をシンク機器に送信して、全二重通信を行う旨を通知する。
【０２４５】
ステップＳ７８において、切り換え制御部１２１はスイッチ１３３を制御し、データの送信時において変換部１３１からのＴｘデータに対応する差動信号が選択されるように、スイッチ１３３を切り換える。すなわち、切り換え制御部１２１は、変換部１３１からスイッチ１３３に供給された、Ｔｘデータに対応する差動信号の部分信号が選択されるようにスイッチ１３３を切り換える。
【０２４６】
ステップＳ７９において、ソース機器は、全二重通信方式により、シンク機器との双方向のＩＰ通信を行い、通信処理は終了する。すなわち、データの送信時において、変換部１３１は、ソース機器の制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号がソース機器からシンク機器に送信される。
【０２４７】
また、データの受信時において、復号部１８３は、シンク機器から送信されてきたＲｘデータに対応する差動信号を受信する。すなわち、スイッチ１８１は、ＳＤＡライン１９１を介してシンク機器から送信されてきた、Ｒｘデータに対応する差動信号の部分信号を受信し、受信した部分信号を復号部１８３に供給する。また、スイッチ１８２は、ＳＣＬライン１９２を介してシンク機器から送信されてきた、Ｒｘデータに対応する差動信号の他方の部分信号を受信し、受信した部分信号を復号部１８３に供給する。復号部１８３は、スイッチ１８１およびスイッチ１８２から供給された部分信号からなる差動信号を、元のデータであるＲｘデータに復号し、制御部（ＣＰＵ）に出力する。
【０２４８】
これにより、ソース機器は、シンク機器と制御データや画素データ、音声データなど、各種のデータの授受を行う。
【０２４９】
また、ステップＳ７５において、全二重通信が可能でないと判定された場合、ステップＳ８０において、ソース機器は、ＣＥＣ信号の送受信を行うことでシンク機器との双方向の通信を行い、通信処理は終了する。
【０２５０】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２５１】
このようにして、ソース機器は、全二重フラグを参照し、全二重通信が可能なシンク機器と、ＣＥＣライン８４およびリザーブライン８８、並びにＳＤＡライン１９１およびＳＣＬライン１９２を用いて全二重通信を行う。
【０２５２】
このように、スイッチ１３３、スイッチ１８１、およびスイッチ１８２を切り換えて送信するデータ、および受信するデータを選択し、シンク機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２５３】
また、シンク機器が図１４に示した構成とされる場合においても、シンク機器は、図１３に示したシンク機器における場合と同様に、通信処理を行って、ソース機器との双方向の通信を行う。
【０２５４】
以下、図２０のフローチャートを参照して、図１４に示したシンク機器による通信処理について説明する。
【０２５５】
ステップＳ１１１において、シンク機器は、シンク機器に新たな電子機器（ソース機器）が接続されたか否かを判定する。ステップＳ１１１において、新たな電子機器が接続されていないと判定された場合、通信は行われないので、通信処理は終了する。
【０２５６】
これに対して、ステップＳ１１１において、新たな電子機器が接続されたと判定された場合、ステップＳ１１２において、切り換え制御部１７２は、スイッチ１８５およびスイッチ１８６を制御し、データの送信時において、スイッチ１８５によりシンク機器の制御部（ＣＰＵ）からのＳＤＡ信号が選択され、さらにデータの受信時において、スイッチ１８５によりソース機器からのＳＤＡ信号が選択され、スイッチ１８６によりソース機器からのＳＣＬ信号が選択されるように、スイッチ１８５およびスイッチ１８６を切り換える。
【０２５７】
ステップＳ１１３において、切り換え制御部１２４はスイッチ１３５を制御し、データの送信時においてシンク機器の制御部（ＣＰＵ）からのＣＥＣ信号が選択され、データの受信時においてソース機器からのＣＥＣ信号が選択されるように、スイッチ１３５を切り換える。
【０２５８】
ステップＳ１１４において、シンク機器は、ＥＤＩＤＲＯＭ８５からＥ−ＥＤＩＤを読み出し、読み出したＥ−ＥＤＩＤを、スイッチ１８５およびＤＤＣ８３のＳＤＡライン１９１を介してソース機器に送信する。
【０２５９】
ステップＳ１１５において、シンク機器は、ソース機器から送信されてきたチャネル情報を受信したか否かを判定する。
【０２６０】
すなわち、ソース機器からは、ソース機器およびシンク機器が有する機能に応じて、双方向の通信のチャネルを示すチャネル情報が送信されてくる。例えば、ソース機器が図１３に示すように構成される場合、ソース機器とシンク機器とは全二重通信が可能であるので、ソース機器からシンク機器には、ＣＥＣライン８４およびリザーブライン８８と、ＳＤＡライン１９１およびＳＣＬライン１９２とを用いた全二重通信方式によるＩＰ通信を行う旨のチャネル情報が送信されてくるので、シンク機器は、スイッチ１３５およびＣＥＣライン８４を介してソース機器から送信されてきたチャネル情報を受信し、チャネル情報を受信したと判定する。
【０２６１】
これに対して、ソース機器が全二重通信を行う機能を有していない場合、ソース機器からシンク機器には、チャネル情報が送信されてこないので、シンク機器は、チャネル情報を受信していないと判定する。
【０２６２】
ステップＳ１１５において、チャネル情報を受信したと判定された場合、処理はステップＳ１１６に進み、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０２６３】
ステップＳ１１７において、切り換え制御部１２４は、スイッチ１３５を制御し、データの受信時においてソース機器からのＴｘデータに対応する差動信号が選択されるように、スイッチ１３５を切り換える。
【０２６４】
ステップＳ１１８において、シンク機器は、全二重通信方式により、ソース機器との双方向のＩＰ通信を行い、通信処理は終了する。すなわち、データの送信時において、変換部１８４は、シンク機器の制御部（ＣＰＵ）から供給されたＲｘデータを差動信号に変換し、変換により得られた差動信号を構成する部分信号のうちの一方をスイッチ１８５に供給し、他方の部分信号をスイッチ１８６に供給する。スイッチ１８５およびスイッチ１８６は、変換部１８４から供給された部分信号を、ＳＤＡライン１９１およびＳＣＬライン１９２を介してソース機器に送信する。これにより、Ｒｘデータに対応する差動信号がシンク機器からソース機器に送信される。
【０２６５】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２６６】
これにより、シンク機器は、ソース機器と制御データや画素データ、音声データなど、各種のデータの授受を行う。
【０２６７】
また、ステップＳ１１５において、チャネル情報を受信していないと判定された場合、ステップＳ１１９において、シンク機器は、ＣＥＣ信号の送受信を行うことでソース機器との双方向の通信を行い、通信処理は終了する。
【０２６８】
このようにして、シンク機器は、チャネル情報を受信すると、シンク機器と、ＣＥＣライン８４およびリザーブライン８８、並びにＳＤＡライン１９１およびＳＣＬライン１９２を用いて全二重通信を行う。
【０２６９】
このように、シンク機器がスイッチ１３５、スイッチ１８５、およびスイッチ１８６を切り換えて送信するデータ、および受信するデータを選択し、ソース機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２７０】
なお、図１４の例では、ソース機器は、ＣＥＣライン８４およびリザーブライン８８に変換部１３１が接続され、ＳＤＡライン１９１およびＳＣＬライン１９２に復号部１８３が接続された構成とされているが、ＣＥＣライン８４およびリザーブライン８８に復号部１８３が接続され、ＳＤＡライン１９１およびＳＣＬライン１９２に変換部１３１が接続された構成とされてもよい。
【０２７１】
そのような場合、スイッチ１８１およびスイッチ１８２がＣＥＣライン８４およびリザーブライン８８に接続されるとともに復号部１８３に接続され、スイッチ１３３がＳＤＡライン１９１に接続されるとともに変換部１３１に接続される。
【０２７２】
また、図１４のシンク機器についても同様に、ＣＥＣライン８４およびリザーブライン８８に変換部１８４が接続され、ＳＤＡライン１９１およびＳＣＬライン１９２に復号部１３６が接続された構成とされてもよい。そのような場合、スイッチ１８５およびスイッチ１８６がＣＥＣライン８４およびリザーブライン８８に接続されるとともに変換部１８４に接続され、スイッチ１３５がＳＤＡライン１９１に接続されるとともに復号部１３６に接続される。
【０２７３】
さらに、図１３において、ＣＥＣライン８４およびリザーブライン８８が、ＳＤＡライン１９１およびＳＣＬライン１９２とされてもよい。つまり、ソース機器の変換部１３１および復号部１３２と、シンク機器の変換部１３４および復号部１３６とがＳＤＡライン１９１およびＳＣＬライン１９２に接続され、ソース機器とシンク機器とが半二重通信方式によるＩＰ通信を行うようにしてもよい。さらに、この場合、リザーブライン８８を用いて電子機器の接続を検出するようにしてもよい。
【０２７４】
さらに、ソース機器およびシンク機器のそれぞれが、半二重通信を行う機能、および全二重通信を行う機能の両方を有するようにしてもよい。そのような場合、ソース機器およびシンク機器は、接続された電子機器の有する機能に応じて、半二重通信方式または全二重通信方式によるＩＰ通信を行うことができる。
【０２７５】
ソース機器およびシンク機器のそれぞれが、半二重通信を行う機能、および全二重通信を行う機能の両方を有する場合、ソース機器およびシンク機器は、例えば、図２１に示すように構成される。なお、図２１において、図１３または図１４における場合と対応する部分には、同一の符号を付してあり、その説明は適宜省略する。
【０２７６】
ソース機器の高速データラインインタフェース１２Ａは、変換部１３１、復号部１３２、スイッチ１３３、スイッチ１８１、スイッチ１８２、復号部１８３、切り換え制御部１２１、タイミング制御部１２２、および切り換え制御部１７１を有している。すなわち、図２１のソース機器における高速データラインインタフェース１２Ａは、図１４に示したソース機器における高速データラインインタフェース１２Ａに、図１３のタイミング制御部１２２および復号部１３２がさらに設けられた構成とされている。
【０２７７】
また、図２１に示すシンク機器の高速データラインインタフェース１２Ａは、変換部１３４、スイッチ１３５、復号部１３６、変換部１８４、スイッチ１８５、スイッチ１８６、タイミング制御部１２３、切り換え制御部１２４、および切り換え制御部１７２を有している。すなわち、図２１のシンク機器は、図１４に示したシンク機器に、図１３のタイミング制御部１２３および変換部１３４がさらに設けられた構成とされている。
【０２７８】
次に、図２１のソース機器およびシンク機器による通信処理について説明する。
【０２７９】
まず、図２２のフローチャートを参照して、図２１のソース機器による通信処理について説明する。なお、ステップＳ１５１乃至ステップＳ１５４の処理のそれぞれは、図１９のステップＳ７１乃至ステップＳ７４の処理のそれぞれと同様であるので、その説明は省略する。
【０２８０】
ステップＳ１５５において、ソース機器は、シンク機器との全二重通信が可能であるか否かを判定する。すなわち、ソース機器は、シンク機器から受信したＥ−ＥＤＩＤを参照して、図１６の全二重フラグ“Ｆｕｌｌ  Ｄｕｐｌｅｘ”がセットされているか否かを判定する。
【０２８１】
ステップＳ１５５において、全二重通信が可能であると判定された場合、すなわち図２１、または図１４に示したシンク機器がソース機器に接続されている場合、ステップＳ１５６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２８２】
一方、ステップＳ１５５において、全二重通信が可能でないと判定された場合、ステップＳ１５７において、ソース機器は、半二重通信が可能であるか否かを判定する。すなわち、ソース機器は、受信したＥ−ＥＤＩＤを参照して、図１６の半二重フラグ“Ｈａｌｆ  Ｄｕｐｌｅｘ”がセットされているか否かを判定する。換言すれば、ソース機器は、図１３に示したシンク機器がソース機器に接続されたか否かを判定する。
【０２８３】
ステップＳ１５７において、半二重通信が可能であると判定された場合、またはステップＳ１５６において、スイッチ１８１およびスイッチ１８２が切り換えられた場合、ステップＳ１５８において、ソース機器は、チャネル情報を、スイッチ１３３およびＣＥＣライン８４を介してシンク機器に送信する。
【０２８４】
ここで、ステップＳ１５５において全二重通信が可能であると判定された場合には、シンク機器は、全二重通信を行う機能を有しているので、ソース機器は、チャネル情報として、ＣＥＣライン８４およびリザーブライン８８と、ＳＤＡライン１９１およびＳＣＬライン１９２とを用いたＩＰ通信を行う旨の信号を、スイッチ１３３およびＣＥＣライン８４を介してシンク機器に送信する。
【０２８５】
また、ステップＳ１５７において半二重通信が可能であると判定された場合には、シンク機器は、全二重通信を行う機能は有していないが、半二重通信を行う機能を有しているので、ソース機器は、チャネル情報として、ＣＥＣライン８４およびリザーブライン８８を用いたＩＰ通信を行う旨の信号を、スイッチ１３３およびＣＥＣライン８４を介してシンク機器に送信する。
【０２８６】
ステップＳ１５９において、切り換え制御部１２１は、スイッチ１３３を制御し、データの送信時において変換部１３１からのＴｘデータに対応する差動信号が選択され、データの受信時においてシンク機器から送信されてくるＲｘデータに対応する差動信号が選択されるように、スイッチ１３３を切り換える。なお、ソース機器とシンク機器とが全二重通信を行う場合には、ソース機器におけるデータの受信時には、シンク機器から、ＣＥＣライン８４およびリザーブライン８８を介してＲｘデータに対応する差動信号は送信されてこないので、復号部１３２には、Ｒｘデータに対応する差動信号は供給されない。
【０２８７】
ステップＳ１６０において、ソース機器は、シンク機器との双方向のＩＰ通信を行い、通信処理は終了する。
【０２８８】
すなわち、ソース機器がシンク機器と全二重通信を行う場合、および半二重通信を行う場合、データの送信時において、変換部１３１は、ソース機器の制御部（ＣＰＵ）から供給されたＴｘデータを差動信号に変換し、変換により得られた差動信号を構成する部分信号のうちの一方をスイッチ１３３およびＣＥＣライン８４を介してシンク機器に送信し、他方の部分信号をリザーブライン８８を介してシンク機器に送信する。
【０２８９】
また、ソース機器がシンク機器と全二重通信を行う場合、データの受信時において、復号部１８３は、シンク機器から送信されてきたＲｘデータに対応する差動信号を受信し、受信した差動信号を、元のデータであるＲｘデータに復号して、制御部（ＣＰＵ）に出力する。
【０２９０】
これに対して、ソース機器がシンク機器と半二重通信を行う場合、データの受信時において、復号部１３２は、タイミング制御部１２２の制御に基づいて、シンク機器から送信されてきたＲｘデータに対応する差動信号を受信し、受信した差動信号を、元のデータであるＲｘデータに復号して、制御部（ＣＰＵ）に出力する。
【０２９１】
これにより、ソース機器は、シンク機器と制御データや画素データ、音声データなど、各種のデータの授受を行う。
【０２９２】
また、ステップＳ１５７において、半二重通信が可能でないと判定された場合、ステップＳ１６１において、ソース機器は、ＣＥＣライン８４を介してＣＥＣ信号の送受信を行うことでシンク機器との双方向の通信を行い、通信処理は終了する。
【０２９３】
このようにして、ソース機器は、全二重フラグおよび半二重フラグを参照し、通信相手であるシンク機器の有する機能に応じて、全二重通信または半二重通信を行う。
【０２９４】
このように、通信相手であるシンク機器の有する機能に応じて、スイッチ１３３、スイッチ１８１、およびスイッチ１８２を切り換えて送信するデータ、および受信するデータを選択し、全二重通信または半二重通信を行うことで、従来のＨＤＭＩとの互換性を保ちつつ、より最適な通信方法を選択して、高速の双方向通信を行うことができる。
【０２９５】
次に、図２３のフローチャートを参照して、図２１のシンク機器による通信処理について説明する。なお、ステップＳ１９１乃至ステップＳ１９４の処理のそれぞれは、図２０のステップＳ１１１乃至ステップＳ１１４の処理のそれぞれと同様であるので、その説明は省略する。
【０２９６】
ステップＳ１９５において、シンク機器は、スイッチ１３５およびＣＥＣライン８４を介してソース機器から送信されてきたチャネル情報を受信する。なお、シンク機器に接続されているソース機器が、全二重通信を行う機能も、半二重通信を行う機能も有していない場合には、ソース機器からシンク機器には、チャネル情報は送信されてこないので、シンク機器は、チャネル情報を受信しない。
【０２９７】
ステップＳ１９６において、シンク機器は、受信したチャネル情報に基づいて、全二重通信を行うか否かを判定する。たとえば、シンク機器は、ＣＥＣライン８４およびリザーブライン８８と、ＳＤＡライン１９１およびＳＣＬライン１９２とを用いたＩＰ通信を行う旨のチャネル情報を受信した場合、全二重通信を行うと判定する。
【０２９８】
ステップＳ１９６において、全二重通信を行うと判定された場合、ステップＳ１９７において、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０２９９】
また、ステップＳ１９６において、全二重通信を行わないと判定された場合、ステップＳ１９８において、シンク機器は、受信したチャネル情報に基づいて、半二重通信を行うか否かを判定する。たとえば、シンク機器は、ＣＥＣライン８４およびリザーブライン８８を用いたＩＰ通信を行う旨のチャネル情報を受信した場合、半二重通信を行うと判定する。
【０３００】
ステップＳ１９８において、半二重通信を行うと判定されるか、またはステップＳ１９７においてスイッチ１８５およびスイッチ１８６が切り換えられた場合、ステップＳ１９９において、切り換え制御部１２４は、スイッチ１３５を制御し、データの送信時において、変換部１３４からのＲｘデータに対応する差動信号が選択され、データの受信時においてソース機器からのＴｘデータに対応する差動信号が選択されるように、スイッチ１３５を切り換える。
【０３０１】
なお、ソース機器とシンク機器とが全二重通信を行う場合、シンク機器におけるデータの送信時には、変換部１３４からトランスミッタ８１にＲｘデータに対応する差動信号が送信されないので、スイッチ１３５には、Ｒｘデータに対応する差動信号は供給されない。
【０３０２】
ステップＳ２００において、シンク機器は、ソース機器との双方向のＩＰ通信を行い、通信処理は終了する。
【０３０３】
すなわち、シンク機器がソース機器と全二重通信を行う場合、データの送信時において、変換部１８４は、シンク機器の制御部（ＣＰＵ）から供給されたＲｘデータを差動信号に変換し、変換により得られた差動信号を構成する部分信号のうちの一方を、スイッチ１８５およびＳＤＡライン１９１を介してソース機器に送信し、他方の部分信号をスイッチ１８６およびＳＣＬライン１９２を介してソース機器に送信する。
【０３０４】
また、シンク機器がソース機器と半二重通信を行う場合、データの送信時において、変換部１３４は、シンク機器の制御部（ＣＰＵ）から供給されたＲｘデータを差動信号に変換し、変換により得られた差動信号を構成する部分信号のうちの一方を、スイッチ１３５およびＣＥＣライン８４を介してトランスミッタ８１に送信し、他方の部分信号をリザーブライン８８を介してソース機器に送信する。
【０３０５】
さらに、シンク機器がソース機器と全二重通信を行う場合、および半二重通信を行う場合、データの受信時において、復号部１３６は、ソース機器から送信されてきたＴｘデータに対応する差動信号を受信し、受信した差動信号を元のデータであるＴｘデータに復号して、制御部（ＣＰＵ）に出力する。
【０３０６】
また、ステップＳ１９８において、半二重通信を行わないと判定された場合、すなわち、たとえばチャネル情報が送信されてこなかった場合、ステップＳ２０１において、シンク機器は、ＣＥＣ信号の送受信を行うことでソース機器との双方向の通信を行い、通信処理は終了する。
【０３０７】
このようにして、シンク機器は、受信したチャネル情報に応じて、すなわち通信相手であるソース機器の有する機能に応じて全二重通信または半二重通信を行う。
【０３０８】
このように、通信相手であるソース機器の有する機能に応じて、スイッチ１３５、スイッチ１８５、およびスイッチ１８６を切り換えて送信するデータ、および受信するデータを選択し、全二重通信または半二重通信を行うことで、従来のＨＤＭＩ（Ｒ）との互換性を保ちつつ、より最適な通信方法を選択して、高速の双方向通信を行うことができる。
【０３０９】
また、互いに差動ツイストペア結線されてシールドされ、グランド線に接地されたＣＥＣライン８４およびリザーブライン８８と、互いに差動ツイストペア結線されてシールドされ、グランド線に接地されたＳＤＡライン１９１およびＳＣＬライン１９２とが含まれているＨＤＭＩケーブル１により、ソース機器とシンク機器とを接続することで、従来のＨＤＭＩケーブルとの互換性を保ちつつ、半二重通信方式または全二重通信方式による高速の双方向のＩＰ通信を行うことができる。
【０３１０】
次に、上述した一連の処理は、専用のハードウェアにより行うこともできるし、ソフトウェアにより行うこともできる。一連の処理をソフトウェアによって行う場合には、そのソフトウェアを構成するプログラムが、たとえば、ソース機器、シンク機器を制御するマイクロコンピュータ等にインストールされる。
【０３１１】
そこで、図２４は、上述した一連の処理を実行するプログラムがインストールされるコンピュータの一実施の形態の構成例を示している。
【０３１２】
プログラムは、コンピュータに内蔵されている記録媒体としてのＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ）３０５やＲＯＭ３０３に予め記録しておくことができる。
【０３１３】
あるいはまた、プログラムは、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０３１４】
なお、プログラムは、上述したようなリムーバブル記録媒体からコンピュータにインストールする他、ダウンロードサイトから、デジタル衛星放送用の人工衛星を介して、コンピュータに無線で転送し、あるいはＬＡＮ、インターネットといったネットワークを介して、コンピュータに有線で転送し、コンピュータでは、そのようにして転送されてくるプログラムを、入出力インタフェース３０６で受信し、内蔵するＥＥＰＲＯＭ３０５にインストールすることができる。
【０３１５】
コンピュータは、ＣＰＵ（Ｃｅｎｔｒａｌ  Ｐｒｏｃｅｓｓｉｎｇ  Ｕｎｉｔ）３０２を内蔵している。ＣＰＵ３０２には、バス３０１を介して、入出力インタフェース３０６が接続されており、ＣＰＵ３０２は、ＲＯＭ（Ｒｅａｄ  Ｏｎｌｙ  Ｍｅｍｏｒｙ）３０３やＥＥＰＲＯＭ３０５に格納されているプログラムを、ＲＡＭ（Ｒａｎｄｏｍ  Ａｃｃｅｓｓ  Ｍｅｍｏｒｙ）３０４にロードして実行する。これにより、ＣＰＵ３０２は、上述したフローチャートにしたがった処理、あるいは上述したブロック図の構成により行われる処理を行う。
【０３１６】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（たとえば、並列処理あるいはオブジェクトによる処理）も含むものである。また、プログラムは、１のコンピュータにより処理されるものであっても良いし、複数のコンピュータによって分散処理されるものであっても良い。
【０３１７】
上述した図９に示す構成例は、ＤＤＣに関して規定された電気的仕様と無関係にＬＡＮ通信のための回路を形成できるものであったが、図２５は、同様の効果を持つ他の構成例を示している。
【０３１８】
この例は、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信で行われ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることを特徴とする。
【０３１９】
ソース機器は、ＬＡＮ信号送信回路６１１、終端抵抗６１２，６１３、ＡＣ結合容量６１４〜６１７、ＬＡＮ信号受信回路６１８、インバータ６２０、抵抗６２１、ローパルスフィルタを形成する抵抗６２２および容量６２３、比較器６２４、プルダウン抵抗６３１、ローパスフィルタを形成する抵抗６３２および容量６３３、比較器６３４、ＮＯＲゲート６４０、アナログスイッチ６４１〜６４４、インバータ６４５、アナログスイッチ６４６，７４７、ＤＤＣトランシーバ６５１，６５２、並びにプルアップ抵抗６５３，６５４を有している。
【０３２０】
また、シンク機器６０２は、ＬＡＮ信号送信回路６６１、終端抵抗６６２，６６３、ＡＣ結合容量６６４〜６６７、ＬＡＮ信号受信回路６６８、プルダウン抵抗６７１、ローパルスフィルタを形成する抵抗６７２および容量６７３、比較器６７４、チョークコイル６８１、電源電位と基準電位間に直列接続された抵抗６８２および６８３、アナログスイッチ６９１〜６９４、インバータ６９５、アナログスイッチ６９６，６９７、ＤＤＣトランシーバ７０１，７０２、並びにプルアップ抵抗７０３，７０４を有している。
【０３２１】
ＨＤＭＩケーブル１の中には、リザーブライン８０１とＳＣＬライン８０３からなる差動伝送路とＳＤＡライン８０４とＨＰＤライン８０２からなる差動伝送路があり、それらのソース側端子８１１と〜８１４、並びにシンク側端子８２１〜８２４が形成されている。
【０３２２】
リザーブライン８０１とＳＣＬライン８０３、並びにＳＤＡライン８０４とＨＰＤライン８０２は、差動ツイストペアとして結線されている。
【０３２３】
ソース機器内で、端子８１１、８１３は、ＡＣ結合容量６１４、６０５およびアナログスイッチ６４１、６４２を介してＬＡＮ送信信号ＳＧ６１１をシンクに送信する送信回路６１１および終端抵抗６１２に接続されている。端子８１４，８１２は、ＡＣ結合容量６１６，６１７とアナログスイッチ６４３、６４４を介してシンク機器からのＬＡＮ信号を受信する受信回路６１８および終端抵抗６１３に接続されている。
【０３２４】
シンク機器内で、端子８２１〜８２４はＡＣ結合容量６６４，６６５，６６６，６６７とアナログスイッチ６９１〜６９４を介して送信回路６６１および受信回路６６８と、終端抵抗６６２，６６３に接続されている。アナログスイッチ６４１〜６４４、６９１〜６９４はＬＡＮ通信を行うときに導通し、ＤＤＣ通信を行うときは開放となる。
【０３２５】
ソース機器は、端子８１３と端子８１４を、別のアナログスイッチ６４６、６４７を介してＤＤＣトランシーバ６５１、６５２およびプルアップ抵抗６５３、６５４に接続する。
【０３２６】
シンク機器は、端子８２３と端子８２４を、アナログスイッチ６９６、６９７を介してＤＤＣトランシーバ７０１、７０２およびプルアップ抵抗７０３に接続する。アナログスイッチ６４６、６４７はＤＤＣ通信を行うときに導通し、ＬＡＮ通信を行うときは開放にする。
【０３２７】
リザーブライン８０１の電位によるｅ−ＨＤＭＩ対応機器の認識機構は、ソース機器６０１の抵抗６２がインバータ６２０に駆動されていること以外は、基本的に、図９に示す例と同様である。
【０３２８】
インバータ６２０の入力がＨＩＧＨのとき抵抗６２１はプルダウン抵抗となるのでシンク機器からみるとｅ−ＨＤＭＩ非対応機器がつながれたのと同じ０Ｖ状態になる。この結果、シンク機器のｅ−ＨＤＭＩ対応識別結果を示す信号ＳＧ６２３はＬＯＷとなり、信号ＳＧ６２３で制御されるアナログスイッチ６９１〜６９４は開放され、信号ＳＧ６２３をインバータ６９５で反転した信号で制御されるアナログスイッチ６９６、６９７は導通する。この結果、シンク機器６０２はＳＣＬライン８０３とＳＤＡライン８０４をＬＡＮ送受信機から切り離し、ＤＤＣ送受信機に接続した状態になる。
【０３２９】
一方、ソース機器ではインバータ６２０の入力がＮＯＲゲート６４０にも入力されてその出力ＳＧ６１４はＬＯＷとされる。ＮＯＲゲート６４０の出力信号ＳＧ６１４に制御されたアナログスイッチ６４１〜６４４は開放され、信号ＳＧ６１４をインバータ６４５で反転した信号で制御されるアナログスイッチ６４６、６４７は導通する。この結果、ソース機器６０１もＳＣＬライン８０３とＳＤＡライン８０４をＬＡＮ送受信機から切り離し、ＤＤＣ送受信機に接続した状態になる。
【０３３０】
逆に、インバータ６２０の入力がＬＯＷのときは、ソース機器もシンク機器もともにＳＣＬライン８０３とＳＤＡライン８０４をＤＤＣ送受信機から切り離し、ＬＡＮ送受信機に接続した状態になる。
【０３３１】
ＨＰＤライン８０２のＤＣバイアス電位による接続確認のための回路６３１〜６３４、６８１〜６８３は、図９に示す例と同様の機能を有する。すなわち、ＨＰＤライン８０２は、上述のＬＡＮ通信の他にＤＣバイアスレベルでケーブル１がシンク機器に接続されたことをソース機器に伝達する。シンク機器内の抵抗６８２、６８３とチョークコイル６８１はケーブル１がシンク機器に接続されるとＨＰＤライン８０２を、端子８２２を介して約４Ｖにバイアスする。
【０３３２】
ソース機器はＨＰＤライン８０２のＤＣバイアスを抵抗６３２と容量６３３からなるローパスフィルタで抽出し、比較器６３４で基準電位Ｖｒｅｆ２（たとえば１．４Ｖ）と比較する。ケーブル１がシンク機器に接続されていなければ端子８１２の電位はプルダウン抵抗６３１で基準電位Ｖｒｅｆ２より低く、接続されていれば高い。したがって、比較器６３４の出力信号ＳＧ６１３がＨＩＧＨならばケーブル１とシンク機器が接続されていることを示す。一方、比較器６３４の出力信号ＳＧ６１３がＬＯＷならばケーブル１とシンク機器が接続されていないことを示す。
【０３３３】
このように、図２５に示す構成例によれば、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信でおこなわれ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることから、ＳＣＬライン、ＳＤＡラインをスイッチでＬＡＮ通信回路に接続する時間帯とＤＤＣ回路に接続する時間帯に分ける時分割を行うことができ、この分割によりＤＤＣに関して規定された電気的仕様と無関係にＬＡＮ通信のための回路を形成することができ、安定で確実なＬＡＮ通信が安価に実現できる。
【０３３４】
なお、ＳＤＡとＳＣＬはＨが１．５ＫΩプルアップでＬがローインピーダンスのプルダウンであり、ＣＥＣもＨが２７ＫΩプルアップでＬがローインピーダンスのプルダウンの通信を行なうものである。既存ＨＤＭＩとのコンパチビリティを持つためにそれらの機能を保持することは、伝送線路の終端を整合終端する必要がある高速データ通信を行なうＬＡＮの機能を共有することは困難となるおそれがある。
【０３３５】
図９、図２５の構成例は、このような問題を回避できる。すなわち、図９の構成例では、ＳＤＡ、ＳＣＬ、ＣＥＣラインを使うのを避けてリザーブラインとＨＰＤラインを差動のペアとして１対双方向通信による全二重通信を行うように構成した。また、図２５の構成例では、ＨＰＤラインおよびＳＤＡラインと、ＳＣＬラインおよびリザーブラインとで２対の差動ペアをつくり各々で単方向通信を行なう２対全二重通信を行うように構成した。
【０３３６】
図２６（Ａ）〜（Ｅ）は、図９、あるいは図２５の構成例における双方向通信波形を示している。
【０３３７】
図２６（Ａ）はソース機器から送った信号波形を、図２６（Ｂ）はシンク機器が受けた信号波形を、図２６（Ｃ）はケーブルを通る信号波形を、図２６（Ｄ）はソース機器が受けた信号を、図２６（Ｅ）はソース機器から送った信号波形を、それぞれ示している。この図２６からも明らかなように、図９、あるいは図２５の構成例によれば、良好な双方向通信を実現可能である。
【０３３８】
なお、上述実施の形態においては、パーソナルコンピュータ（ソース機器）とテレビ受信機（シンク機器）とを接続する伝送路として、ＨＤＭＩ規格のインタフェースを前提として説明したが、その他の同様な伝送規格にも適用可能である。また、ソース機器としてパーソナルコンピュータ１０を使用し、シンク機器としてテレビ受信機３０を使用した例としたが、その他の電子機器を使用して構成されるＡＶシステムにも、この発明を同様に適用できる。
【０３３９】
また、上述実施の形態では、ソース機器とシンク機器との間で、双方向のＩＰ通信を行うようにしたが、双方向の通信は、ＩＰ以外のプロトコルで行うことが可能である。また、上述実施の形態においては、電子機器間をＨＤＭＩケーブルで接続したものを示したが、この発明は、電子機器間の接続を無線で行うものにも、同様に適用できる。
【産業上の利用可能性】
【０３４０】
この発明は、セキュリティを損なうことなく、接続性を確保し、ユーザの使い勝手の向上を図ることができ、例えば、テレビ受信機とパーソナルコンピュータがＨＤＭＩケーブルで接続されるＡＶシステム等に適用できる。
【図面の簡単な説明】
【０３４１】
【図１】この発明の実施の形態としてのＡＶシステムの構成例を示すブロック図である。
【図２】ＡＶシステムを構成するパーソナルコンピュータ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ソース機器としてのパーソナルコンピュータと、シンク機器としてのテレビ受信機における、電源端子（+5V power  端子）と、ＨＰＤ(Hot Plug Detect)端子の周辺回路を簡略的に示す図である。
【図６】ＨＤＭＩトランスミッタとＨＤＭＩレシーバの構成例を示すブロック図である。
【図７】ＴＭＤＳ伝送データの構造を示す図である。
【図８】ＨＤＭＩ端子のピン配列（タイプＡ）を示す図である。
【図９】パーソナルコンピュータおよびテレビ受信機の高速データラインインタフェースの構成例を示す接続図である。
【図１０】パーソナルコンピュータのテレビ受信機に対するファイヤーウォールの解除シーケンスの一例を示す図である。
【図１１】ＣＥＣのコマンド体系を示す図である。
【図１２】パーソナルコンピュータのテレビ受信機に対するファイヤーウォールの解除シーケンスの他の例を示す図である。
【図１３】パーソナルコンピュータおよびテレビ受信機の高速データラインインタフェースの他の構成例を示す接続図である。
【図１４】パーソナルコンピュータおよびテレビ受信機の高速データラインインタフェースのさらに他の構成例を示す接続図である。
【図１５】ソース機器が受信するＥ−ＥＤＩＤの構造を示す図である。
【図１６】Ｅ−ＥＤＩＤ  Vendor Specific Data Block構造を示す図である。
【図１７】ソース機器による通信処理を説明するためのフローチャートである。
【図１８】シンク機器による通信処理を説明するためのフローチャートである。
【図１９】ソース機器による通信処理を説明するためのフローチャートである。
【図２０】シンク機器による通信処理を説明するためのフローチャートである。
【図２１】パーソナルコンピュータおよびテレビ受信機の高速データラインインタフェースの他の構成例を示す接続図である。
【図２２】ソース機器による通信処理を説明するためのフローチャートである。
【図２３】シンク機器による通信処理を説明するためのフローチャートである。
【図２４】この発明を適用したコンピュータの構成例を示すブロック図である。
【図２５】パーソナルコンピュータおよびテレビ受信機の高速データラインインタフェースのさらに他の構成例を示す接続図である。
【図２６】双方向通信波形を示す図である。
【符号の説明】
【０３４２】
１・・・ＨＤＭＩケーブル、５・・・ＡＶシステム、１０・・・パーソナルコンピュータ、１１・・・ＨＤＭＩ端子、１２・・・ＨＤＭＩ送信部、１２Ａ・・・高速データラインインタフェース、１３・・・ＣＰＵ、２２・・・イーサネットインタフェース、３０・・・テレビ受信機、３１・・・ＨＤＭＩ端子、３２・・・ＨＤＭＩ受信部、３２Ａ・・・高速データラインインタフェース、４２・・・表示パネル、５１・・・ＣＰＵ、５４・・・イーサネットインタフェース
【図１】
0004766026.tif 000002
【図２】
0004766026.tif 000003
【図３】
0004766026.tif 000004
【図４】
0004766026.tif 000005
【図５】
0004766026.tif 000006
【図６】
0004766026.tif 000007
【図７】
0004766026.tif 000008
【図８】
0004766026.tif 000009
【図９】
0004766026.tif 000010
【図１０】
0004766026.tif 000011
【図１１】
0004766026.tif 000012
【図１２】
0004766026.tif 000013
【図１３】
0004766026.tif 000014
【図１４】
0004766026.tif 000015
【図１５】
0004766026.tif 000016
【図１６】
0004766026.tif 000017
【図１７】
0004766026.tif 000018
【図１８】
0004766026.tif 000019
【図１９】
0004766026.tif 000020
【図２０】
0004766026.tif 000021
【図２１】
0004766026.tif 000022
【図２２】
0004766026.tif 000023
【図２３】
0004766026.tif 000024
【図２４】
0004766026.tif 000025
【図２５】
0004766026.tif 000026
【図２６】
0004766026.tif 000027